(57)【要約】【課題】ＰＬＣ通信のネットワークにおいて、安定したデータの送受信とデータ伝送の実効速度の向上とを図る。【解決手段】フロアの入口にＰＬＣ親機モデム１３とＰＬＣ中継機１６とを配置し、遊技機島の入口に島入口ＰＬＣ子機モデム３０ａ・・・と狭帯域用の島入口ＰＬＣ親機モデム３１ａ・・・とを配置し、遊技機８に狭帯域用のＰＬＣ子機モデム９を配置し、さらに、ＰＬＣ親機モデム１３を第１分岐アダプタ１５の分岐前ポートに接続し、該第１分岐アダプタ１５の分岐後ポートにＰＬＣ中継機１６を接続し、該ＰＬＣ中継機１６を島入口ＰＬＣ子機モデムに接続し、該島入口ＰＬＣ子機モデムを島入口ＰＬＣ親機モデムにＬＡＮケーブルで接続し、該島入口ＰＬＣ親機モデムの通信線接続ポートを第２分岐アダプタ７の分岐前ポートに接続し、該第２分岐アダプタ７の分岐後ポートに、ＰＬＣ子機モデム９を接続するようにした。【選択図】図１
2010028558.tif 000002
【特許請求の範囲】
【請求項１】
フロアに配置された遊技機島を構成する遊技機と通信可能に接続されたＰＬＣ子機モデムと、前記ＰＬＣ子機モデムの動作を制御するＰＬＣ親機モデムとを、ＰＬＣ中継機を介して通信可能に接続したＰＬＣ通信を用いた遊技ホール用ネットワークシステムであって、
前記フロアの入口に前記ＰＬＣ親機モデムと前記ＰＬＣ中継機とが配置され、
前記遊技機島の入口に島入口ＰＬＣ子機モデムと狭帯域用の島入口ＰＬＣ親機モデムとが配置され、
前記遊技機に狭帯域用の前記ＰＬＣ子機モデムが配置され、
さらに、
前記ＰＬＣ親機モデムが第１分岐アダプタの分岐前ポートに接続され、
該第１分岐アダプタの分岐後ポートに前記ＰＬＣ中継機が接続され、
該ＰＬＣ中継機が前記島入口ＰＬＣ子機モデムに接続され、
該島入口ＰＬＣ子機モデムが前記島入口ＰＬＣ親機モデムにＬＡＮケーブルで接続され、
該島入口ＰＬＣ親機モデムの通信線接続ポートが第２分岐アダプタの分岐前ポートに接続され、
該第２分岐アダプタの分岐後ポートに、前記ＰＬＣ子機モデムが接続されてなり、
前記ＰＬＣ中継機を中継して行われる前記ＰＬＣ親機モデムと前記島入口ＰＬＣ子機モデムとの間のデータ伝送が、少なくとも同期信号を送信する第１の同期信号送信帯域と、前記ＰＬＣ親機モデム、前記ＰＬＣ中継機及び前記島入口ＰＬＣ子機モデムで共有とされる第１のユーザデータの共有帯域とを有する構成とされる第１のマスタフレームに基づいて行われ、
前記島入口ＰＬＣ親機モデムと前記ＰＬＣ子機モデムとの間のデータ伝送が、少なくとも同期信号を送信する第２の同期信号送信帯域と、前記島入口ＰＬＣ親機モデム及び前記ＰＬＣ子機モデムで共有とされる第２のユーザデータの共有帯域とを有する構成とされる第２のマスタフレームに基づいて行われ、
前記島入口ＰＬＣ親機モデムが前記遊技機からの情報が含まれる前記第２のユーザデータを受け取り、該第２のユーザデータをＬＡＮでのデータ伝送のフォーマットに従って前記島入口ＰＬＣ子機モデムに渡すと、該データが前記ＰＬＣ中継機との間での同期に合わせて前記ＰＬＣ親機モデムに伝送される
ことを特徴とするＰＬＣ通信を用いた遊技ホール用ネットワークシステム。
【請求項２】
前記第１の同期信号送信帯域は、
前記ＰＬＣ親機モデムと前記ＰＬＣ中継機との間での同期をとるための第１の同期信号と前記ＰＬＣ中継機の送信権を設定するための情報とを送信するための第１の送信権タイムスロットと、
前記第１の同期信号に基づき、前記ＰＬＣ中継機と前記島入口ＰＬＣ子機モデムとの間での同期をとるための第２の同期信号と前記島入口ＰＬＣ子機モデムの送信権を設定するための情報とを送信するための第２の送信権タイムスロットとを有し、
前記第２の同期信号送信帯域は、
前記島入口ＰＬＣ親機モデムと前記ＰＬＣ子機モデムとの間での同期をとるための第３の同期信号と前記ＰＬＣ子機モデムの送信権を設定するための情報とを送信するための第３の送信権タイムスロットを有する
ことを特徴とする請求項１に記載のＰＬＣ通信を用いた遊技ホール用ネットワークシステム。
【請求項３】
前記第１のマスタフレーム及び前記第２のマスタフレームには、前記遊技機から前記ＰＬＣ中継機に送信される緊急通報に係る情報を前記ＰＬＣ親機モデムに伝送するための緊急通報帯域が設けられていることを特徴とする請求項１又は２に記載のＰＬＣ通信を用いた遊技ホール用ネットワークシステム。
【発明の詳細な説明】
【技術分野】
【０００１】
本発明は、ＰＬＣ親機モデムと多数（最大２４００台）のＰＬＣ子機モデムとの間でのデータ伝送をＰＬＣ通信を用いたネットワークで行うＰＬＣ通信を用いた遊技ホール用ネットワークシステムに関する。
【背景技術】
【０００２】
電力を供給する電力線にデータ伝送を行うための信号を重畳して通信を行う、いわゆるＰＬＣ（Ｐｏｗｅｒ  Ｌｉｎｅ  Ｃｏｍｍｕｎｉｃａｔｉｏｎ）の技術を用いたネットワークシステムが実用化されている。ＰＬＣを用いた通信の基本的な技術は、データ伝送を行うデジタル信号をアナログ高周波信号に変調し、この変調処理を行って得たアナログ高周波信号を、交流電力を流す電力線に重畳して電力線に送出すること、及び電力線に重畳されたアナログ高周波信号を分離してデジタル信号に復調する処理を行い、このデジタル信号を端末装置等に送出することにある。これらの処理を行う通信装置として、ＰＬＣモデムが使用されている。そして、このＰＬＣモデムに各種の端末装置を接続した各種のネットワークシステムが提案され、実用化されている。
【０００３】
ＰＬＣモデムを用いたネットワークシステム、特に、多数の端末装置を接続したシステムについては、下記の特許文献１及び特許文献２に記載されているように、ネットワークを構成する各端末装置にＰＬＣモデム（以下、「ＰＬＣ子機モデム」という）を接続するとともに、これらのＰＬＣ子機モデムの動作を制御するＰＬＣモデム（以下、「ＰＬＣ親機モデム」という）を電力線を介して接続したシステムが提案されている。
【０００４】
また、非特許文献１には、集合住宅棟内におけるＰＬＣモデムを用いたネットワークシステム例が記載されている。このシステム例においては、集合住宅の受電設備を構成する変圧器にＰＬＣ親機モデムを接続し、この変圧器から各戸に配線した電力線は各戸に設置された分電盤に接続されているので、この分電盤から各部屋に配線された電力線にＰＬＣ子機モデムを接続した例が示されている。
【０００５】
さらに、ＰＬＣ通信を用いたネットワークシステムにおける、通信の信頼性を確保するための技術として、たとえば下記特許文献３に記載されているように、ネットワークシステム内にＰＬＣ中継機を配置し、このＰＬＣ中継機を介してＰＬＣ子機モデムを接続することが提案されている。
【０００６】
また、特許文献４には、遊技ホールの一元監視・管理システムとして各遊技ホール内の情報を送受信する島ネットワークと、各遊技ホール、各種管理端末（サーバ／クライアント）、認証局端末（サーバ／クライアント）の相互の情報を送受信する遊技ホール外のグローバルネットワークとからなる２階層ネットワークが提案されている。
【０００７】
さらに、特許文献４には、この島ネットワークに接続されている遊技機と島コンピュータに供給される商用１００Ｖ又は２００Ｖの電力線に、情報信号を高周波信号として重畳し、また電力線に高周波重畳された情報信号を分離する電力線重畳信号変復調手段を付加することが記載されている。
【０００８】
【特許文献１】特開２００８−４２６２３号公報
【特許文献２】特開２００８−７２５７９号公報
【特許文献３】特開２００５−２８６６３１号公報
【特許文献４】特開２００７−４４２１７号公報
【非特許文献１】株式会社オーム社、高速電力線通信システム（ＰＬＣ）とＥＭＣ、第２６頁〜第２７頁、図２．５、平成１９年１１月２０日発行
【発明の開示】
【発明が解決しようとする課題】
【０００９】
一つの建屋やビル等にＰＬＣモデム通信を用いたネットワークシステムを構築し、このネットワークシステムに多数の端末装置、たとえば、２０００台（最大２４００台程度）を超えるような端末装置を接続した大規模なネットワークシステムを、安定して稼働させるためには、下記の課題を解決する必要がある。
【００１０】
（１）分岐によるロスを低減させることが第１の課題になる。大規模システムにおいては、データ伝送を行う伝送路となる電力線を分電盤により多数に分岐する必要が生じるが、その分岐数が増大すると分岐に伴う損失（ロス）も大になる。また、ネットワークシステムに接続された多数の端末装置からはノイズが発生し、このノイズは伝送路となる電力線に入り込んで通信の信頼性を低下させる。このため、ＰＬＣ通信においては、ＰＬＣ親機モデムとＰＬＣ子機モデム間の伝送路によるロスを６０ｄＢ以下にする必要があると考えられる。
【００１１】
この第１の課題を解決するためには、特許文献１、２及び３に記載されているようにＰＬＣ親機モデムの制御に基づいてＰＬＣ子機モデムの動作を制御する方式、あるいはＰＬＣ中継機を採用することが望ましい。しかしながら、特許文献１、２及び３には、最大２４００台という多数の端末装置を多数接続したＰＬＣ通信を用いたネットワークシステムについて、第１の課題である分岐によるロスを低減させるための具体的な手段については開示されていない。
【００１２】
（２）ネットワークシステム内における通信の最大実効速度を確保して、ＰＬＣ親機モデムとＰＬＣ子機モデム間の高速な応答と、安定した通信を如何に確保するかが第２の課題になる。通信の実効速度を確保する手段として、従来からＣＳＭＡ−ＣＡ方式が採用されている。ＣＳＭＡ−ＣＡ方式は、キャリアセンスに基づいて多元接続が行われるため、高速応答、ならびに高速伝送が可能である。しかし、端末装置を多数接続したシステムではノイズが多くなるので、ＣＳＭＡ−ＣＡ方式は安定したキャリアセンスが行われなくなり、安定した通信の実現が困難になる。
【００１３】
多数の端末装置を接続したＰＬＣ通信を用いたネットワークシステムにおいて、安定した通信を行うためには、ＰＬＣ親機モデムのポーリング処理によってＰＬＣ子機モデムが応答するポーリング方式が適しているが、ＰＬＣ子機モデムの応答時間はＰＬＣ親機モデムのポーリング周期によって決定されるため、高速応答は不可能になる。上記した特許文献１、２及び３にも、多数の端末装置を接続したネットワークシステムにおいて、第２の課題である最大実効速度と安定した通信を確保するための具体的な手段については開示されていない。
【００１４】
（３）端末装置で発生した緊急情報を、ＰＬＣ親機モデムを経由して上位のサーバ等に如何に短時間で通知するかが第３の課題になる。なお、上記した「緊急情報」とは、ＰＬＣ子機モデムに接続された端末装置、たとえば大規模遊技ホールに設置された遊技機（端末装置）で大当りが発生したときにこの大当りに関する情報、あるいは遊技機で不正行為が発生したときにこの不正行為に関する検知信号等の情報を示す。
【００１５】
この第３の課題を解決するために特許文献４に記載されている手段は、監視カメラで撮影された遊技者の画像を、グローバルネットワークに接続された管理者サーバで監視するようにしたものである。しかし、特許文献４には、遊技ホールに多数設置されている遊技機からこの遊技機に係る異常発生情報を遊技ホールに設置されている管理者サーバにＰＬＣ通信を利用して速く伝送するための伝送路の構成等については開示されていない。
【００１６】
本発明は、上述した課題に鑑みてなされたものであり、ＰＬＣ親機モデムと多数（最大２４００台）のＰＬＣ子機モデムとをＰＬＣ通信を用いたネットワークに接続しても、安定したデータの送受信とデータ伝送の実効速度の向上とを実現することができるＰＬＣ通信を用いた遊技ホール用ネットワークシステムを提供することを目的とする。
【課題を解決するための手段】
【００１７】
本発明のＰＬＣ通信を用いた遊技ホール用ネットワークシステムは、フロアに配置された遊技機島を構成する遊技機と通信可能に接続されたＰＬＣ子機モデムと、前記ＰＬＣ子機モデムの動作を制御するＰＬＣ親機モデムとを、ＰＬＣ中継機を介して通信可能に接続したＰＬＣ通信を用いた遊技ホール用ネットワークシステムであって、前記フロアの入口に前記ＰＬＣ親機モデムと前記ＰＬＣ中継機とが配置され、前記遊技機島の入口に島入口ＰＬＣ子機モデムと狭帯域用の島入口ＰＬＣ親機モデムとが配置され、前記遊技機に狭帯域用の前記ＰＬＣ子機モデムが配置され、さらに、前記ＰＬＣ親機モデムが第１分岐アダプタの分岐前ポートに接続され、該第１分岐アダプタの分岐後ポートに前記ＰＬＣ中継機が接続され、該ＰＬＣ中継機が前記島入口ＰＬＣ子機モデムに接続され、該島入口ＰＬＣ子機モデムが前記島入口ＰＬＣ親機モデムにＬＡＮケーブルで接続され、該島入口ＰＬＣ親機モデムの通信線接続ポートが第２分岐アダプタの分岐前ポートに接続され、該第２分岐アダプタの分岐後ポートに、前記ＰＬＣ子機モデムが接続されてなり、前記ＰＬＣ中継機を中継して行われる前記ＰＬＣ親機モデムと前記島入口ＰＬＣ子機モデムとの間のデータ伝送が、少なくとも同期信号を送信する第１の同期信号送信帯域と、前記ＰＬＣ親機モデム、前記ＰＬＣ中継機及び前記島入口ＰＬＣ子機モデムで共有とされる第１のユーザデータの共有帯域とを有する構成とされる第１のマスタフレームに基づいて行われ、前記島入口ＰＬＣ親機モデムと前記ＰＬＣ子機モデムとの間のデータ伝送が、少なくとも同期信号を送信する第２の同期信号送信帯域と、前記島入口ＰＬＣ親機モデム及び前記ＰＬＣ子機モデムで共有とされる第２のユーザデータの共有帯域とを有する構成とされる第２のマスタフレームに基づいて行われ、前記島入口ＰＬＣ親機モデムが前記遊技機からの情報が含まれる前記第２のユーザデータを受け取り、該第２のユーザデータをＬＡＮでのデータ伝送のフォーマットに従って前記島入口ＰＬＣ子機モデムに渡すと、該データが前記ＰＬＣ中継機との間での同期に合わせて前記ＰＬＣ親機モデムに伝送されることを特徴とする。
【００１８】
また、前記第１の同期信号送信帯域は、前記ＰＬＣ親機モデムと前記ＰＬＣ中継機との間での同期をとるための第１の同期信号と前記ＰＬＣ中継機の送信権を設定するための情報とを送信するための第１の送信権タイムスロットと、前記第１の同期信号に基づき、前記ＰＬＣ中継機と前記島入口ＰＬＣ子機モデムとの間での同期をとるための第２の同期信号と前記島入口ＰＬＣ子機モデムの送信権を設定するための情報とを送信するための第２の送信権タイムスロットとを有し、前記第２の同期信号送信帯域は、前記島入口ＰＬＣ親機モデムと前記ＰＬＣ子機モデムとの間での同期をとるための第３の同期信号と前記ＰＬＣ子機モデムの送信権を設定するための情報とを送信するための第３の送信権タイムスロットを有するようにしてもよい。
【００１９】
また、前記第１のマスタフレーム及び前記第２のマスタフレームには、前記遊技機から前記ＰＬＣ中継機に送信される緊急通報に係る情報を前記ＰＬＣ親機モデムに伝送するための緊急通報帯域が設けられているようにしてもよい。
【００２０】
本発明のＰＬＣ通信を用いた遊技ホール用ネットワークシステムでは、フロアの入口にＰＬＣ親機モデムとＰＬＣ中継機とが配置され、遊技機島の入口に島入口ＰＬＣ子機モデムと狭帯域用の島入口ＰＬＣ親機モデムとが配置され、遊技機に狭帯域用のＰＬＣ子機モデムが配置され、さらに、ＰＬＣ親機モデムが第１分岐アダプタの分岐前ポートに接続され、該第１分岐アダプタの分岐後ポートにＰＬＣ中継機が接続され、該ＰＬＣ中継機が島入口ＰＬＣ子機モデムに接続され、該島入口ＰＬＣ子機モデムが島入口ＰＬＣ親機モデムにＬＡＮケーブルで接続され、該島入口ＰＬＣ親機モデムの通信線接続ポートが第２分岐アダプタの分岐前ポートに接続され、該第２分岐アダプタの分岐後ポートに、ＰＬＣ子機モデムが接続されてなり、ＰＬＣ中継機を中継して行われるＰＬＣ親機モデムと島入口ＰＬＣ子機モデムとの間のデータ伝送が、少なくとも同期信号を送信する第１の同期信号送信帯域と、ＰＬＣ親機モデム、ＰＬＣ中継機及び島入口ＰＬＣ子機モデムで共有とされる第１のユーザデータの共有帯域とを有する構成とされる第１のマスタフレームに基づいて行われ、島入口ＰＬＣ親機モデムとＰＬＣ子機モデムとの間のデータ伝送が、少なくとも同期信号を送信する第２の同期信号送信帯域と、島入口ＰＬＣ親機モデム及びＰＬＣ子機モデムで共有とされる第２のユーザデータの共有帯域とを有する構成とされる第２のマスタフレームに基づいて行われ、島入口ＰＬＣ親機モデムが遊技機からの情報が含まれる第２のユーザデータを受け取り、該第２のユーザデータをＬＡＮでのデータ伝送のフォーマットに従って島入口ＰＬＣ子機モデムに渡すと、該データがＰＬＣ中継機との間での同期に合わせてＰＬＣ親機モデムに伝送される。
【００２１】
この場合、フロアの入口にＰＬＣ親機モデムとＰＬＣ中継機とが配置され、遊技機島の入口に島入口ＰＬＣ子機モデムと狭帯域用の島入口ＰＬＣ親機モデムとが配置され、遊技機に狭帯域用のＰＬＣ子機モデムが配置され、さらに、ＰＬＣ親機モデムが第１分岐アダプタの分岐前ポートに接続され、該第１分岐アダプタの分岐後ポートにＰＬＣ中継機が接続され、該ＰＬＣ中継機が島入口ＰＬＣ子機モデムに接続され、該島入口ＰＬＣ子機モデムが島入口ＰＬＣ親機モデムにＬＡＮケーブルで接続され、該島入口ＰＬＣ親機モデムの通信線接続ポートが第２分岐アダプタの分岐前ポートに接続され、該第２分岐アダプタの分岐後ポートに、ＰＬＣ子機モデムが接続されているため、フロアの入口のＰＬＣ中継機と遊技機島の入口の島入口ＰＬＣ子機モデムとの間に分岐アダプタが介在しないことになり、フロアの入口と遊技機島の入口との間での分岐ロスが低減されることから、フロアの入口と遊技機島の入口との間でのロスが異常に大きな場合に有効となる。
【００２２】
また、島入口ＰＬＣ親機モデムと遊技機に配置されているＰＬＣ子機モデムとが狭帯域用とされているため、それぞれの島入口ＰＬＣ親機モデム及びＰＬＣ子機モデムの内部構成部品を狭帯域用とすることができ、広帯域用の内部構成部品に比べて部品コストが安価となり、それぞれの島入口ＰＬＣ親機モデム及びＰＬＣ子機モデムを低コストのものとすることができる。この場合、島入口ＰＬＣ親機モデムとＰＬＣ子機モデムとの間でのデータ伝送の速度が、広帯域用の島入口ＰＬＣ親機モデムとＰＬＣ子機モデムとの間でのデータ伝送の速度に比べて若干低下してもよいシステムに適用する。
【００２３】
また、ＰＬＣ中継機を中継して行われるＰＬＣ親機モデムと島入口ＰＬＣ子機モデムとの間のデータ伝送のための第１のマスタフレームが、少なくとも同期信号を送信する第１の同期信号送信帯域と、ＰＬＣ親機モデム、ＰＬＣ中継機及び島入口ＰＬＣ子機モデムで共有とされる第１のユーザデータの共有帯域とを有する構成とされ、島入口ＰＬＣ親機モデムとＰＬＣ子機モデムとの間のデータ伝送のための第２のマスタフレームが、少なくとも同期信号を送信する第２の同期信号送信帯域と、島入口ＰＬＣ親機モデム及びＰＬＣ子機モデムで共有とされる第２のユーザデータの共有帯域とを有する構成とされるため、第１のマスタフレーム及び第２のマスタフレームにおけるそれぞれの多くの帯域に第１のユーザデータ及び第２のユーザデータの共有帯域を割り当てることが可能となる。
【発明の効果】
【００２４】
本発明のＰＬＣ通信を用いた遊技ホール用ネットワークシステムによれば、フロアの入口と遊技機島の入口との間での分岐ロスを低減し、さらにＰＬＣ中継機を中継して行われるＰＬＣ親機モデムと島入口ＰＬＣ子機モデムとの間のデータ伝送のための第１のマスタフレームを、少なくとも同期信号を送信する第１の同期信号送信帯域と、ＰＬＣ親機モデム、ＰＬＣ中継機及び島入口ＰＬＣ子機モデムで共有とされる第１のユーザデータの共有帯域とを有する構成とし、島入口ＰＬＣ親機モデムとＰＬＣ子機モデムとの間のデータ伝送のための第２のマスタフレームを、少なくとも同期信号を送信する第２の同期信号送信帯域と、島入口ＰＬＣ親機モデム及びＰＬＣ子機モデムで共有とされる第２のユーザデータの共有帯域とを有する構成とし、第１のマスタフレーム及び第２のマスタフレームにおけるそれぞれの多くの帯域に第１のユーザデータ及び第２のユーザデータの共有帯域を割り当てることが可能となるようにしたので、ＰＬＣ親機モデムと多数（最大２４００台）のＰＬＣ子機モデムとをＰＬＣ通信を用いたネットワークに接続しても、安定したデータの送受信とデータ伝送の実効速度の向上とを実現することができる。
【発明を実施するための最良の形態】
【００２５】
本実施形態のＰＬＣ通信を用いた遊技ホール用ネットワークシステムは、ＰＬＣ親機モデムと多数（最大２４００台）のＰＬＣ子機モデムとをＰＬＣ通信を用いたネットワークに接続しても、安定したデータの送受信とデータ伝送の実効速度の向上とを実現するようにしている。ここで、本実施形態では、多数（最大２４００台）のＰＬＣ子機モデムに、パチンコ遊技機やパチスロ遊技機等の遊技機が接続されるようにしている。なお、ＰＬＣ子機モデムには、パチスロ遊技機やパチスロ遊技機で用いられる遊技媒体（パチンコ玉やメダル）の貸し出しを行う遊技媒体貸出機や、フロア内を監視する監視カメラ（Ｗｅｂカメラ等）等も接続することが可能である。
【００２６】
このような安定したデータの送受信とデータ伝送の実効速度の向上とを実現するために、本実施形態では、フロアの入口にＰＬＣ親機モデムとＰＬＣ中継機とを配置し、遊技機島の入口に島入口ＰＬＣ子機モデムと狭帯域用｛Ｋ（キロ）帯域用：１０KHz〜４５０KHzの帯域を使用｝の島入口ＰＬＣ親機モデムとを配置し、遊技機に狭帯域用｛Ｋ（キロ）帯域用｝のＰＬＣ子機モデムを配置し、さらに、ＰＬＣ親機モデムを第１分岐アダプタの分岐前ポートに接続し、該第１分岐アダプタの分岐後ポートにＰＬＣ中継機を接続し、該ＰＬＣ中継機を島入口ＰＬＣ子機モデムに接続し、該島入口ＰＬＣ子機モデムを島入口ＰＬＣ親機モデムにＬＡＮケーブルで接続し、該島入口ＰＬＣ親機モデムの通信線接続ポートを第２分岐アダプタの分岐前ポートに接続し、該第２分岐アダプタの分岐後ポートに、ＰＬＣ子機モデムを接続することで、フロアの入口のＰＬＣ中継機と遊技機島の入口の島入口ＰＬＣ子機モデムとの間に分岐アダプタを介在させないようにし、フロアの入口と遊技機島の入口との間での分岐ロスを低減させるようにすることで、フロアの入口と遊技機島の入口との間でのロスが異常に大きな場合に有効となるようにしている。
【００２７】
また、島入口ＰＬＣ親機モデムと遊技機に配置されているＰＬＣ子機モデムとを狭帯域用としているため、それぞれの島入口ＰＬＣ親機モデム及びＰＬＣ子機モデムの内部構成部品を狭帯域用とすることができ、広帯域用の内部構成部品に比べて部品コストが安価となり、それぞれの島入口ＰＬＣ親機モデム及びＰＬＣ子機モデムを低コストのものとすることができる。この場合、島入口ＰＬＣ親機モデムとＰＬＣ子機モデムとの間でのデータ伝送の速度が、広帯域用の島入口ＰＬＣ親機モデムとＰＬＣ子機モデムとの間でのデータ伝送の速度に比べて若干低下してもよいシステムに適用する。
【００２８】
また、ＰＬＣ中継機を中継して行われるＰＬＣ親機モデムと島入口ＰＬＣ子機モデムとの間のデータ伝送のための第１のマスタフレームを、少なくとも同期信号を送信する第１の同期信号送信帯域と、ＰＬＣ親機モデム、ＰＬＣ中継機及び島入口ＰＬＣ子機モデムで共有とされる第１のユーザデータの共有帯域とを有する構成とし、島入口ＰＬＣ親機モデムとＰＬＣ子機モデムとの間のデータ伝送のための第２のマスタフレームを、少なくとも同期信号を送信する第２の同期信号送信帯域と、島入口ＰＬＣ親機モデム及びＰＬＣ子機モデムで共有とされる第２のユーザデータの共有帯域とを有する構成とし、第１のマスタフレーム及び第２のマスタフレームにおけるそれぞれの多くの帯域に第１のユーザデータ及び第２のユーザデータの共有帯域を割り当てることが可能となるようにしている。
【００２９】
このように、フロアの入口と遊技機島の入口との間での分岐ロスを低減し、さらにＰＬＣ中継機を中継して行われるＰＬＣ親機モデムと島入口ＰＬＣ子機モデムとの間のデータ伝送のための第１のマスタフレームと、島入口ＰＬＣ親機モデムとＰＬＣ子機モデムとの間のデータ伝送のための第２のマスタフレームとのそれぞれの多くの帯域に第１のユーザデータ及び第２のユーザデータの共有帯域を割り当てることが可能となることで、ＰＬＣ親機モデムと多数（最大２４００台）のＰＬＣ子機モデムとをＰＬＣ通信を用いたネットワークに接続しても、安定したデータの送受信とデータ伝送の実効速度の向上とを実現することができる。なお、遊技機の台数が多い場合には、第２分岐アダプタの分岐後ポートにさらに第２分岐アダプタを従属接続して遊技機の接続台数を増加させるようにしてもよい。
【００３０】
また、第１の同期信号送信帯域を、ＰＬＣ親機モデムとＰＬＣ中継機との間での同期をとるための第１の同期信号とＰＬＣ中継機の送信権を設定するための情報とを送信するための第１の送信権タイムスロットと、第１の同期信号に基づき、ＰＬＣ中継機と島入口ＰＬＣ子機モデムとの間での同期をとるための第２の同期信号と島入口ＰＬＣ子機モデムの送信権を設定するための情報とを送信するための第２の送信権タイムスロットとを有するようにし、第３の同期信号送信帯域を、島入口ＰＬＣ親機モデムとＰＬＣ子機モデムとの間での同期をとるための第３の同期信号とＰＬＣ子機モデムの送信権を設定するための情報とを送信するための第３の送信権タイムスロットを有するようにすると、データ伝送の実効速度を向上させることができる。
【００３１】
すなわち、ＰＬＣ中継機を中継してのＰＬＣ親機モデムと島入口ＰＬＣ子機モデムとの間での同期の確立が第１の同期信号と第２の同期信号とによって行われるとともに、特に、第２の送信権タイムスロットを用いた島入口ＰＬＣ子機モデムへの第２の同期信号のデータ伝送を、直交周波数分割多重方式（ＯＦＤＭ）により行うことが可能となり、多数の島入口ＰＬＣ子機モデムの同期の確立を短時間で行わせることができ、また、第３の送信権タイムスロットを用いた島入口ＰＬＣ親機モデムからＰＬＣ子機モデムへの第３の同期信号のデータ伝送を、直交周波数分割多重方式（ＯＦＤＭ）により行うことが可能となり、多数のＰＬＣ子機モデムの同期の確立を短時間で行わせることができる。これは、直交周波数分割多重方式（ＯＦＤＭ）による同期信号の周波数分割多重が可能となるため、短時間での送信が可能となり、多数の島入口ＰＬＣ子機モデムやＰＬＣ子機モデムの同期の確立を短時間で行わせることができるためである。
【００３２】
また、第１のマスタフレーム及び第２のマスタフレームに、遊技機からＰＬＣ子機モデムに送信される緊急通報に係る情報をＰＬＣ中継機に伝送するための緊急通報帯域が設けられているようにすると、いずれかのＰＬＣ子機モデムが遊技機からの緊急通報に関する情報を受信したとき、送信権がなくても直ちにその緊急通報に関する情報を、ネットワーク上で上位に位置するＰＬＣ中継機に緊急で通報することができる。これは、ネットワーク上で上位に位置するＰＬＣ親機モデムからＰＬＣ中継機へのアクセスが頻繁に行われるので、特定中継機帯域で上位への緊急通報が可能となるためである。
【実施例】
【００３３】
以下、本発明の実施例の詳細について説明する。図１は本発明のＰＬＣ通信を用いた遊技ホール用ネットワークシステムの一実施例に係る、システム構成例を示す図、図２は遊技ホールの受電設備から各フロア用の分電盤（以下、「フロア入口分電盤」という）までの電力線の経路と、このフロア入口分電盤から遊技機までの電力線を含む伝送路の経路例を示す図、図３は遊技ホールを３階建ての建屋としたときのシステム構成例を示す図である。
【００３４】
たとえば、２０００台以上（最大２４００台程度）のパチンコ遊技機やパチスロ遊技機（以下、「遊技機」という）を設置した大規模の遊技ホールは、３〜５階建て等の複数のフロア（床）を備えた建屋から構成される場合がある。各フロアには、多数の遊技機が列状に、いわゆる「遊技機島」単位で配置されるとともに、これらの「遊技機島」がフロアの横方向又は縦方向に複数列にわたって配列されている。このような遊技ホールにおいては、多数の遊技機（パチスロ遊技機やパチスロ遊技機等）や、各フロアに設置されている各種の設備及び照明機器等に電源を供給するための受電設備（Ａ）が屋上（又は地下室）に設置されている。
【００３５】
すなわち、図１に示すように、受電設備（Ａ）にはＡＣ高圧線によりＡＣ６．６ＫＶが導かれ、変圧器１によりＡＣ１００Ｖ（又は２００Ｖ）に変換される。この変換されたＡＣ１００Ｖの電源は、たとえば６分岐の分電盤２により分岐されて、電力線４ａを介し複数のフロア入口分電盤３ａ、３ｂ、３ｃ、・・・に供給される。複数のフロア入口分電盤３ａ、３ｂ、３ｃ、・・・は、所定のフロア（図１に示す例ではフロア（Ｂ１））に設けられた分電盤室（たとえば、図３に示す分電盤室（Ｆ））に纏めて設置される。
【００３６】
これらのフロア入口分電盤３ａ、３ｂ、３ｃ、・・・は、たとえば３２分岐の分電盤から構成される。また、フロア入口分電盤３ａ、３ｂ、３ｃ、・・・は、各フロアに設置されている遊技機、照明機器、その他機器に電源を供給する分電盤として、フロア毎に、れぞれの用途に応じて設置されている。
【００３７】
図３に示す遊技ホールの建屋例では、フロア（Ｂ１）に分電盤室（Ｆ）とホール内監視室（Ｄ）が設置されている例を示している。図３に示すように、通常の遊技ホールにおいて遊技機が設置されているフロアには、２台の遊技機の背面側を向かい合わせにして所定の間隔（以下、「島内隙間」という）をおいて配置するとともに、これらの遊技機を横方向に複数配列した、いわゆる「遊技機島」を構成し、これらの遊技機島Ｃ１、Ｃ２、Ｃ３、・・・をフロアの縦方向、又は横方向に通路を確保しつつ複数配列させたレイアウトとしている。さらに、上記の島内隙間には、遊技機８に遊技球を供給する装置等が設置されている。
【００３８】
また、各遊技機島Ｃ１、Ｃ２、Ｃ３、・・・の島内隙間の中央部には、たとえば３２分岐の島分電盤５が設置される。なお、島分電盤５は、既設の島分電盤を使用してもよい。また、島分電盤５は、分電盤室（Ｆ）の遊技機用のフロア入口分電盤３ｂ、３ｃ、・・に、天井又は床下に敷設される電力線４ｂにより接続されている。さらに、各遊技機島Ｃ１等に設置されている島分電盤５から分岐させた電力線４ｃは、図２に示すように、各遊技機島内に所定の間隔を設けて設置したコンセントＣｎ１、Ｃｎ２、・・・に接続されている。
【００３９】
そして、図２に示すように、たとえば遊技機島内に設置したコンセントＣｎ１〜Ｃｎ３のそれぞれには遊技機８に電力を供給する図示しない変換トランス６が接続され、島入口ＰＬＣ子機モデム３０ａ、３０ｂ、・・・の通信線接続ポートには通信線（ＬＡＮケーブル）１０ｅを介して狭帯域用｛Ｋ（キロ）帯域用｝の島入口ＰＬＣ親機モデム３１ａ、３１ｂ、・・・の通信線接続ポートが接続されている。また、島入口ＰＬＣ親機モデム３１ａ、３１ｂ、・・・には、通信線１０ｆを介して第２分岐アダプタ７の分岐前ポートが接続されている。また、第２分岐アダプタ７の分岐後ポートにはＰＬＣ子機モデム９が通信線１０ｄを介して接続されている。なお、第２分岐アダプタ７は、たとえば４つの分岐後ポートを備えた４分岐アダプタであり、それぞれの分岐後ポートに１台の狭帯域用｛Ｋ（キロ）帯域用｝のＰＬＣ子機モデム９が接続されている。
【００４０】
このように、島入口ＰＬＣ親機モデム３１ａ、３１ｂ、・・・及びＰＬＣ子機モデム９を狭帯域用｛Ｋ（キロ）帯域用｝とすることで、それぞれの島入口ＰＬＣ親機モデム３１ａ、３１ｂ、・・・及びＰＬＣ子機モデム９の内部構成部品を狭帯域用とすることができ、広帯域用の内部構成部品に比べて部品コストが安価となり、それぞれの島入口ＰＬＣ親機モデム３１ａ、３１ｂ、・・・及びＰＬＣ子機モデム９を低コストのものとすることができる。この場合、島入口ＰＬＣ親機モデム３１ａ、３１ｂ、・・・とＰＬＣ子機モデム９との間でのデータ伝送の速度が、広帯域用の島入口ＰＬＣ親機モデムとＰＬＣ子機モデムとの間でのデータ伝送の速度に比べて若干低下してもよいシステムに適用する。
【００４１】
また、第２分岐アダプタ７は、伝送路を多数に分岐する手段と、電力線４ｃに重畳された高周波信号についてこの多数の分岐に伴う分岐ロスの低減と、伝送路における上り方向及び下り方向のインピーダンスの整合をとるために設けられているものである。
【００４２】
さらに、各ＰＬＣ子機モデム９のＲＳ２３２ＣＩ／Ｆポートには、図１（図２）に示すように、遊技機島を構成する個々の遊技機８が接続されている。なお、ＰＬＣ子機モデム９と通信可能に接続する遊技機８の通信ポートは、たとえばＲＳ２３２ＣＩ／Ｆ等を用いることができる。また、遊技機８に接続するＰＬＣ子機モデム９は、遊技機島に形成している島内隙間であって各遊技機８の島設備内に設置するようにすればよい。ここで、島設備とは、各遊技機８とは別体であって、各遊技機８にたとえば遊技媒体（パチンコ玉やメダル）等を補給したりする設備のことである。
【００４３】
また、島分電盤５の他の分岐点から電力線４ｃを介して接続されたコンセントＣｎ１〜Ｃｎ４等には、ＡＣ１００ＶをＡＣ２４Ｖに変換する変換トランス６が接続されている。この変換トランス６は、遊技機８の駆動電力となるＡＣ２４Ｖを供給するためのトランスであって、たとえば一つの変換トランス６から４〜５台の遊技機にＡＣ２４Ｖの駆動電力を電力線４ｄにより供給することができる。変換トランス６の設置台数は、遊技機島を構成する遊技機８の台数に応じて決定すればよい。
【００４４】
このようにして、島分電盤５と遊技機８を接続する伝送路（電力線４ｃ→通信線１０ｄ）と、島分電盤５から遊技機８に供給する電源線の経路４ｃ→４ｄとは別系統、すなわち島分電盤５から遊技機８に供給する電源線の経路４ｃ→変換トランス６→４ｄは、バイパス経路を構成するようにしている。
【００４５】
上記したように、本実施例でのＰＬＣ通信を用いた遊技ホール用ネットワークシステムを構築する場合には、遊技機島内に形成されている島内隙間に、遊技機島単位で、島入口ＰＬＣ子機モデム３０ａ、３０ｂ、・・・、島入口ＰＬＣ親機モデム３１ａ、３１ｂ、・・・、第２分岐アダプタ７及びＰＬＣ子機モデム９の設置と、これらの設置に伴う簡単な配線工事を行うだけでよい。従って、大がかりな電力線や通信線の配線工事を行う必要がないので、既設の遊技ホールにも本発明のシステムを容易に採用することが可能になる。
【００４６】
次に、フロア入口分電盤３ｂ、３ｃ、・・・とＰＬＣ親機モデム（第１の親機モデム）１３との接続について説明する。上述したように、分電盤室（Ｆ）には、各フロアに電源を供給するために多数のフロア入口分電盤３ａ、３ｂ、３ｃ、３ｄ・・・が設置されている。そして、このうちの数個、たとえばフロア入口分電盤３ｂ、３ｃ、・・・は、各フロア（Ｂ１）と（Ｂ２）に設置された島分電盤５に電源を供給するために使用される。
【００４７】
さらに、フロア入口分電盤３ｂ、３ｃ、・・・の分岐点に、ＰＬＣ中継機１６のＡＣ１００Ｖ接続ポート（回線側）を電力線４ｅを介して接続し、ＰＬＣ中継機１６の通信線接続ポートを、通信線１０ｃを介して第１の分岐アダプタ１５の分岐後ポートに接続する。これにより、第１の分岐アダプタ１５の各分岐後ポートにはＰＬＣ中継機１６が接続され、ＰＬＣ中継機１６はフロア入口分電盤３ｂ、３ｃ、・・・等の何れかに接続されることになる。なお、この分岐アダプタ１５及び上記の第２分岐アダプタ７の構成については、後述する。
【００４８】
また、通信線１０ｂを介し、第１分岐アダプタ１５の分岐前ポートを、回線側ポートが通信モードとされているＰＬＣ親機モデム１３の回線側ポートと接続する。これにより、ＰＬＣ親機モデム１３からの同期信号や、後述する店舗サーバ１２等からＰＬＣ親機モデム１３に送信されたユーザデータは、ＰＬＣ通信の下り方向となる多数のＰＬＣ中継機１６を介し、これらのＰＬＣ中継機１６の制御配下に通信可能に接続されている島入口ＰＬＣ子機モデム３０ａ、３０ｂ、・・・に伝送することが可能となる。また、上り方向のデータ、すなわち遊技機８で表示する一般演出情報、遊技機８で発生した大当りに関する情報、不正発生に関する情報等は、ＰＬＣ子機モデム９から島入口ＰＬＣ親機モデム３１ａ、３１ｂ、・・・、島入口ＰＬＣ子機モデム３０ａ、３０ｂ、・・・を介してＰＬＣ親機モデム１３に、さらに店舗サーバ１２等に伝送することが可能となる。
【００４９】
なお、ＰＬＣ子機モデム９には、遊技機８に限らず、パチスロ遊技機やパチスロ遊技機で用いられる遊技媒体（パチンコ玉やメダル）の貸し出しを行う遊技媒体貸出機や、フロア内を監視する監視カメラ（Ｗｅｂカメラ等）等も接続することが可能である。この場合、後述する店舗サーバ１２等から送信されるユーザデータは、たとえば遊技媒体貸出機や監視カメラ（Ｗｅｂカメラ等）等を制御する情報とすることができる。すなわち、遊技媒体貸出機を制御する情報としては、たとえば遊技媒体貸出機による貸し出し動作を許可したり、停止させたりする内容とすることができる。また、監視カメラ（Ｗｅｂカメラ等）を制御する情報としては、撮影の向きを変えたり、ズームアップ又はズームアウトさせたりする内容とすることができる。
【００５０】
また、遊技媒体貸出機や監視カメラ（Ｗｅｂカメラ等）等に接続されるＰＬＣ子機モデム９からのユーザデータは、遊技媒体貸出機や監視カメラ（Ｗｅｂカメラ等）等の状態を示す情報とすることができる。すなわち、遊技媒体貸出機の状態を示す情報としては、遊技媒体貸出機の動作が正常に行われているかどうかを示す内容等とすることができる。監視カメラ（Ｗｅｂカメラ等）の状態を示す情報としては、フロア内を撮影した画像情報とすることができる。
【００５１】
また、遊技ホールには、各遊技機８の稼働状況、出玉状況、大当りの発生回数等に関する情報や、上述した遊技媒体貸出機や監視カメラ（Ｗｅｂカメラ等）等からの情報を把握するためのホール内ＬＡＮ１１によるネットワークシステムが構築されている。このホール内ＬＡＮ１１には、ホール内監視室（Ｄ）内に設置されている店舗サーバ（ホールコンピュータ）１２やパーソナルコンピュータから構成される端末装置（以下、「ＰＣ端末」という）１９が接続されている。
【００５２】
ここで、本実施例でのＰＬＣ通信を用いた遊技ホール用ネットワークシステムにあっては、既存のホール内ＬＡＮ１１によるネットワークシステムにも接続可能なシステム構成にしていることにも特徴がある。以下、このホール内ＬＡＮ１１によるネットワークシステムと接続するための構成を、フロア（Ｂ１）に分電盤室（Ｆ）とホール内監視室（Ｄ）が設置されている遊技ホールを例にして説明する。
【００５３】
図１に示すように、ＰＬＣ親機モデム（第１の親機モデム）１３のイーサネット接続ポートが、ＰＬＣ親機モデム（第２の親機モデム）１４のイーサネット接続ポートに接続されている。さらに、ＰＬＣ親機モデム１４の電源接続ポートが、フロア入口分電盤３ａから分岐された電力線４ｆに接続されている。このフロア入口分電盤３ａは、島分電盤５を接続しているフロア入口分電盤３ｂ、３ｃ・・・とは異なるフロア入口分電盤であって、ホール内監視室（Ｄ）壁等に配設されたコンセント１７等にＡＣ１００Ｖを供給する分電盤となっている。
【００５４】
ホール内監視室（Ｄ）の壁等に既に配設されているコンセント１７には、ＰＬＣ子機モデム１８のＡＣ１００Ｖポートが接続されているとともに、ＰＬＣ子機モデム１８のイーサネット接続ポートがホール内ＬＡＮ１１に接続されている。なお、図１及び図３に示すコンセント１７は、ＰＬＣ親機モデム１４と分電盤３ａとを接続する電力線４ｆから分岐した既設の電力線４ｇに接続されているものである。
【００５５】
また、上記のＰＬＣ親機モデム１３、ＰＬＣ親機モデム１４、第１分岐アダプタ１５は、フロア入口分電盤３ａ、３ｂ、３ｃ、・・・を集中して配置しているフロア入口分電盤室（Ｆ）に設置される。これにより、これらの機器を繋ぐ配線工事が容易になるとともに、配線の長さを短くすることが可能になるので、伝送ロスも低減させることが可能となる。
【００５６】
また、たとえば既設のホール内ＬＡＮ１１に接続された店舗サーバ１２及びＰＣ端末１９は、本実施例に係るＰＬＣ通信を用いた遊技ホール用ネットワークシステムと一体に接続することが可能になる。また、ホール内監視室（Ｄ）とフロア入口分電盤室（Ｆ）とが異なるフロアに配置されていても、ホール内監視室（Ｄ）のホール内ＬＡＮ１１とＰＬＣ親機モデム１４とを繋ぐＬＡＮケーブルを新たに敷設する必要がなくなるというメリットもある。
【００５７】
さらに、ホール内ＬＡＮ１１は、ＷＡＮ２０を介して中央監視センタ（Ｅ）のセンタサーバ２１と接続されるシステム構成とすることもできる。なお、センタサーバ２１は、たとえば複数の店舗を集中して監視するために設けられているものである。
【００５８】
次に、上述した各種ＰＬＣモデムの構成例を、図４〜図７に基づいて説明する。図４はＰＬＣ親機モデム１３、１４、島入口ＰＬＣ子機モデム３０ａ、３０ｂ、・・・及び島入口ＰＬＣ親機モデム３１ａ、３１ｂ、・・・の回路構成の一例を示すブロック図、図５はＰＬＣ子機モデム９の回路構成の一例を示すブロック図、図６はＰＬＣ子機モデム１８の回路構成の一例を示すブロック図、図７はＰＬＣ中継機１６の回路構成の一例を示すブロック図である。なお、図４においては、ＰＬＣ親機モデム１３、１４、島入口ＰＬＣ子機モデム３０ａ、３０ｂ、・・・及び島入口ＰＬＣ親機モデム３１ａ、３１ｂ、・・・の回路構成がほぼ同じであるため、ＰＬＣ親機モデム１３を代表させて説明するものとする。
【００５９】
（ＰＬＣ親機モデム１３の構成）
図４に示すように、ＰＬＣ親機モデム１３は、イーサネット（登録商標）のＬＡＮケーブル（１００ＢＡＳＥ−ＴＸ）と接続されるイーサＰＨＹ部３１、イーサＭＡＣ部３２、ＰＬＣ・ＭＡＣ部３３、ＰＬＣ・ＴＸ−ＰＨＹ部３４、Ｄ／Ａ変換部３５、ローパスフィルタ（ＬＰＦ）部３６、ドライバ（ＤＶ）部３７、ＡＣ１００Ｖの電力線と接続される回線結合部３８、ゲインスイッチ（ＧＳＷ）部３９、バンドバスフィルタ（ＢＰＦ）部４０、Ａ／Ｄ変換部４１、ＰＬＣ・ＲＸ−ＰＨＹ部４２、ＰＬＬ制御部４３、制御部４４、電源部４５等を有している。制御部４４は、ＣＰＵ４４ａ、ＲＯＭ４４ｂ、ＲＡＭ４４ｃを有している。
【００６０】
イーサＰＨＹ部３１は、送信又は受信データのＰＨＹ層（Ｐｈｙｓｉｃａｌ  ｌａｙｅｒ）を管理する回路部である。イーサＭＡＣ部３２は、制御部４４の制御に基づいて送信又は受信データのＭＡＣ層（Ｍｅｄｉａ  Ａｃｃｅｓｓ  Ｃｏｎｔｒｏｌ  ｌａｙｅｒ）を管理する回路部である。ＰＬＣ・ＭＡＣ部３３は、制御部４４の制御に基づいて送信又は受信データについてＰＬＣのＭＡＣ層を管理する回路部である。
【００６１】
ＰＬＣ・ＴＸ−ＰＨＹ部３４は、ＰＬＣ・ＭＡＣ部３３で処理したデータを送信用のデータとして処理する回路部である。Ｄ／Ａ変換部３５は、ＰＬＣ・ＴＸ−ＰＨＹ部３４で処理したデータをＤ／Ａ変換処理を行う回路部である。ＬＰＦ部３６はＤ／Ａ変換部３５で高周波アナログ信号に変換したデータについて、不要帯域を除去するフィルタ回路部である。なお、ＬＰＦ部３６で不要帯域を除去した高周波アナログ信号のデータは、ＤＶ部３７により回線結合部３８に送出され、回線結合部３８により電力線に重畳される。このようにして、ＬＡＮケーブル線（１００ＢＡＳＥ−ＴＸ）からイーサＰＨＹ部３１に入力されたデジタルの信号データは、高周波アナログ信号に変換されて、回線結合部３８からＡＣ１００Ｖを流す電力線に重畳されて送出される。
【００６２】
一方、電力線に重畳された高周波アナログ信号が回線結合部３８に入力されると、回線結合部３８にて高周波アナログ信号が分離されてＧＳＷ部３９に送出され、ＧＳＷ部３９にてゲイン調整（増幅処理等）が行われる。ＧＳＷ部３９でゲイン調整された高周波アナログ信号は、ＢＰＦ部４０にて周波数の不要帯域が除去され、Ａ／Ｄ変換部４１でデジタル信号に変換される。Ａ／Ｄ変換部４１によりデジタル信号に変換されたデジタル信号は、ＰＬＣ・ＲＸ−ＰＨＹ部４２によりＰＬＣ受信データとして処理され、ＰＬＣ・ＭＡＣ部３３、イーサＭＡＣ部３２、イーザＰＨＹ部３１を経由してＬＡＮケールの１００ＢＡＳＥ−ＴＸ（１０ａ）に送出される。
【００６３】
また、回線側ポートとなる回線結合部３８は、通信線の端子とＡＣ１００Ｖを接続する２系統の端子を備え、内部スイッチによりこれら端子のいずれかを切り替えたり、混在使用したりすることができるようになっている。
【００６４】
制御部４４は、ＲＯＭ４４ｂに記憶されている各種の制御プログラムにより、ＰＬＣ親機モデム１３の全体の動作の制御や、イーサＭＡＣ部３２及びＰＬＣ・ＭＡＣ部３３の動作の制御を行う。電源部４５は、各回路部にＤＣ５Ｖ程度の直流電源を供給するためのＡＣ−ＤＣコンバータ等を備えている。
【００６５】
ここで、ＲＯＭ４４ｂには、次の処理を行う各種のプログラムが格納されている。
１）第１の同期信号を、所定の時間間隔、たとえば１０ｍｓ〜５０ｍｓの間隔で各ＰＬＣ中継機１６ａ、１６ｂ、・・・に伝送する処理を行う。各ＰＬＣ中継機１６ａ、１６ｂ、・・・はこの同期信号を受信すると、直ちにその同期信号に基づき同期を確立して、第２の同期信号をＰＬＣ中継機１６ａ、１６ｂ、・・・の制御配下の島入口ＰＬＣ子機モデム３０ａ、３０ｂ、・・・に伝送する。
【００６６】
２）サーバ１２等から送信されたユーザデータがＲＡＭ４４ｃに記憶されている場合、ポーリング制御に基づいて、そのユーザデータを島入口ＰＬＣ子機モデム３０ａ、３０ｂ、・・・に伝送する処理を行う。この処理においては、ＲＯＭ４４ｂに予め記憶している後述の図１５（ｂ）に示すポーリングテーブル（ＰＴ）を参照して、指示された島入口ＰＬＣ子機モデム３０ａ、３０ｂ、・・・にＰＬＣ中継機１６ａ、１６ｂ、・・・を介してユーザデータを伝送する。また、上り方向のユーザデータである、ＰＬＣ中継機１６ａ、１６ｂ、・・・を介しての島入口ＰＬＣ子機モデム３０ａ、３０ｂ、・・・からのユーザデータを受信し、この受信したデータをサーバ１２等に送信するための制御を行う。
【００６７】
３）ＰＬＣ親機モデム１３からＰＬＣ中継機１６ａ、１６ｂ、・・・を介して多数の島入口ＰＬＣ子機モデム３０ａ、３０ｂ、・・・を呼び出す際のポーリング制御が行われるとき、データ伝送の衝突を回避するための制御（送信権の制御）を行う。このポーリング制御は、たとえばＰＬＣ親機モデム１３が第１の同期信号をＰＬＣ中継機１６ａに伝送するとき、その第１の同期信号に送信権のアドレス情報を付加した後述のＢＣ１信号（ＢＣ：ビーコン）をＰＬＣ中継機１６ａに送信する処理を行う。このアドレス情報が伝送路の送信権を示す情報となる。
【００６８】
なお、島入口ＰＬＣ親機モデム３１ａ、３１ｂ、・・・のＲＯＭ４４ｂには、次の処理を行う各種のプログラムが格納されている。
１）第３の同期信号を、所定の時間間隔、たとえば１０ｍｓ〜５０ｍｓの間隔で各ＰＬＣ子機モデム９に伝送する処理を行う。各ＰＬＣ子機モデム９はこの同期信号を受信すると、直ちにその同期信号に基づき同期を確立する。
【００６９】
２）サーバ１２等から送信されたユーザデータがＲＡＭ４４ｃに記憶されている場合、ポーリング制御に基づいて、そのユーザデータを島入口ＰＬＣ子機モデム３０ａ、３０ｂ、・・・に伝送する処理を行う。この処理においては、ＲＯＭ４４ｂに予め記憶している後述の図１５（ｂ）に示すポーリングテーブル（ＰＴ）を参照して、指示されたＰＬＣ子機モデム９にユーザデータを伝送する。また、上り方向のユーザデータである、ＰＬＣ子機モデム９からのユーザデータを受信し、この受信したユーザデータをサーバ１２等に送信するための制御を行う。この場合、受信したユーザデータをＬＡＮでのデータ伝送のフォーマットに従って島入口ＰＬＣ子機モデム３０ａ、３０ｂ、・・・に渡す。
【００７０】
（ＰＬＣ子機モデムの構成）
図５に示すＰＬＣ子機モデム９は、上述したＰＬＣ親機モデム１３とほぼ同じ構成となっているが、遊技機８とシリアル通信を行うためのＲＳ２３２Ｉ／Ｆ（インタフェース）部３１ａを備えている点で相違している。また、回線側となる回線結合部３８は、第２の分岐アダプタ７と通信線１０ｄを介して接続するための端子を備えている点でも相違している。
【００７１】
一方、図６に示すＰＬＣ子機モデム１８は、上述したＰＬＣ子機モデム９とほぼ同じ構成となっているが、ＰＬＣ子機モデム９のＲＳ２３２Ｉ／Ｆ（インタフェース）３１ａがイーサＰＨＹ３１に置き換えられている点で相違している。
【００７２】
ここで、ＰＬＣ子機モデム９のＲＯＭ４４ｂには、次の処理を行うプログラムが格納されている。すなわち、島入口ＰＬＣ親機モデム３１ａ、３１ｂ、・・・から伝送された第３の同期信号（後述のＢＣ３信号）やアドレス情報の受信の処理を行う。また、上述したユーザデータがＲＡＭ４４ｃ記憶されている場合には、そのユーザデータを第３の同期信号に同期させて島入口ＰＬＣ親機モデム３１ａ、３１ｂ、・・・に送信する処理を行う。ユーザデータとは、たとえば遊技機８で発生した大当りに関する情報や異常検出信号に係る情報等である。また、店舗サーバ１２からＰＬＣ親機モデム１３等を経由してユーザデータが送信された場合には、そのユーザデータを遊技機８に接続されているＰＬＣ子機モデム９に送信する処理を行う。さらに、ＰＬＣ子機モデム９に接続されているたとえば遊技機８から緊急通報に関する情報が伝送されると、この情報を島入口ＰＬＣ親機モデム３１ａ、３１ｂ、・・・に送信する処理を行う。
【００７３】
（ＰＬＣ中継機の構成）
図７に示すＰＬＣ中継機１６（１６ａ、１６ｂ、・・・）は、図４に示したＰＬＣ親機モデム１３とほぼ同じ構成であるが、回線側ポートとなる回線結合部３８は通信線と接続するための端子とＡＣ１００Ｖを接続する２系統の端子を備え、内部スイッチによりこれらの端子のいずれかを切り替えたり、混在使用したりすることができるようになっている点で相違している。
【００７４】
ＰＬＣ中継機１６ａ、１６ｂ、・・・のＲＯＭ４４ｂは、次の処理を行う各種のプログラムを格納している。
１）ＰＬＣ親機モデム１３から受信した第１の同期信号（後述のＢＣ１信号）を基に同期を確立し、制御配下の島入口ＰＬＣ子機モデム３０ａ、３０ｂ、・・・に対して新たな第２の同期信号（後述のＢＣ２信号）を送信する処理を行う。
２）島入口ＰＬＣ子機モデム３０ａ、３０ｂ、・・・から受信したユーザデータをＰＬＣ親機モデム１３に送信する処理を行う。また、島入口ＰＬＣ子機モデム３０ａ、３０ｂ、・・・から受信した緊急通報に係る情報をＰＬＣ親機モデム１３に送信する処理を行う。この緊急通報に係る処理は、後述の特定中継機帯域を使って行う。
３）ＰＬＣ親機モデム１３から受信した送信権に係る情報（アドレス情報）を、後述の特定中継機帯域を用いて島入口ＰＬＣ子機モデム３０ａ、３０ｂ、・・・に送信する処理を行う。
【００７５】
（分岐アダプタの構成）
次に、第１分岐アダプタ１５及び第２分岐アダプタ７の構成について説明する。従来から、伝送路を分岐する手段として２方向に分岐するトランスが実用化されているが、本実施例のようにネットワーク上に多数の遊技機８等を接続するためには、たとえば伝送路を４分岐以上と多数に分岐する手段を備えた分岐アダプタを用いる必要性が生じる。さらに、このよう分岐アダプタには、下記１）〜３）に記載の要求を満たすための機能を備えている必要がある。
【００７６】
１）伝送路を多数に分岐するので双方向分岐ロスが増大するが、これを最小化する。さらに、双方向のインピーダンス整合をとる。
【００７７】
２）ＡＣ１００Ｖの電力線と結合可能にするとともに、トランスから構成された分岐アダプタを実現する場合には、一次と対地間、及び一次と二次間の絶縁が確保される構成にする。さらに、分岐アダプタの分岐後ポートの全てにＰＬＣモデム（又はＰＬＣ中継機）が接続されている場合と、この分岐後ポートの一部にＰＬＣモデム（又はＰＬＣ中継機）が接続されていない場合とで、終端抵抗が自動的あるいは手動で開放又は接続可能となる構成にし、上記した双方向（下り方向と上り方向）のインピーダンスの整合がとれるような構成にする。
【００７８】
３）最大２４００台という多数の遊技機を接続するネットワークであるため、１本の伝送路を、最大１６分岐を行うことができるような多分岐可能な構成にする。
【００７９】
図８は、４分岐の構成とした場合の第２分岐アダプタ７を示している。また、同図に示す各高周波トランスは１ｃｍ３  程度の小型形状に製造することが可能であり、さらに、これら複数の高周波トランスを基板に配置して回路を形成することにより、一つの分岐アダプタのユニットとすることができる。
【００８０】
同図に示す第２分岐アダプタ７は、５個のトランス素子（５１−１）〜（５１−５）を、ブリッジ構造からなる回路を形成するように接続して、４分岐の出力端子（分岐後ポート）を備えるとともに、４個のトランス素子（５１−２）〜（５１−５）のそれぞれの一次側となる分岐後ポートにＰＬＣ子機モデム９を接続している。
【００８１】
また、この第２分岐アダプタ７は、島入口ＰＬＣ親機モデム３１ａの通信線１０ｆに接続される、トランス素子（５１−１）の一次側が分岐前ポートとされている。このトランス素子（５１−１）の二次側の一方が、トランス素子（５１−２）とトランス素子（５１−４）の二次側の一方の連結点５２ａに接続されている。また、トランス素子（５１−１）の二次側の他方が、トランス素子（５１−３）とトランス素子（５１−５）の二次側の他方の連結点５２ｂに接続されている。
【００８２】
さらに、トランス素子（５１−２）とトランス素子（５１−４）の二次側の他方と、トランス素子（５１−３）とトランス素子（５１−５）の二次側の一方とが連結点５３ａ、５３ｂに接続されている。また、連結点５３ａと５３ｂとが５０Ωの抵抗５４を介して接続されている。また、島分電盤５と接続するトランス素子（５１−１）の一次側にはコンデンサ５５が接続され、トランス素子（５１−２）〜（５１−５）の一次側にはコンデンサ５５を介してＰＬＣ子機モデム９が接続されている。
【００８３】
このうような第２分岐アダプタ７においては、トランス素子（５１−１）の一次側を分岐前ポートとして、ＡＣ１００Ｖを供給する島分電盤５からの電力線４ｂと接続しても、コンデンサ５２によりＡＣ１００Ｖはカットされて伝送データとなる高周波のみが分岐アダプタ内を流れるので、分岐によるロスが低減される。
【００８４】
さらに、ブリッジ構成となるようにトランス素子（５１−１）〜（５１−５）を接続しているので、第２分岐アダプタ７を構成するトランス素子（５１−２）〜（５１−５）の二次側及びトランス素子（５１−１）の一次側は、いずれも上り方向と下り方向のインピーダンスが同一、すなわち、伝送路の下り及び上り方向の双方においてインピーダンスの整合をとることができる。
【００８５】
これにより、伝送路を４つに分岐しても分岐ロスを減少させることが可能となる。また、各トランス素子（５１−１）〜（５１−５）の一次側にコンデンサ５５を接続し、これら一次側を外部機器等と接続する構成としているので、分岐アダプタの耐圧を確保することも可能となる。
【００８６】
なお、同図に示す第２分岐アダプタ７において、トランス素子の一次側のいずれか、たとえばトランス素子（５１−５）にＰＬＣ子機９を接続する必要がない場合は、図９に示すように、トランス素子（５１−５）の一次側に５０Ωの終端抵抗５６を接続することで、上記したインピーダンスの整合をとることができる。
【００８７】
また、図８に示すように、ブリッジ構成をなすように接続したトランス素子（５１−１）〜（５１−５）を一つのブリッジ構成パターンとし、このブリッジ構成パターンを４つのブリッジ構成とするように連結すると、後述の図２０に示すような１６分岐を備えた分岐アダプタを構成することができる。
【００８８】
次に、フロア入口分電盤３ａ、３ｂ、３ｃ、・・・の構成について説明する。なお、フロア入口分電盤３ａ、３ｂ、３ｃ、・・・は、それぞれほぼ同じ構成とされているため、以下においてはフロア入口分電盤３ｂを代表して説明するものとする。
【００８９】
まず、図１０に示すように、屋上の分電盤２からフロア入口分電盤３ｂには、一般に１本の中性線Ｌ０と１００Ｖの電位差がある電線Ｌ１、Ｌ２とで構成される単層３線が配線されている。また、単相３線にはＡ相とＢ相とが形成される。この場合、ＰＬＣ親機モデム１３→第１分岐アダプタ１５→ＰＬＣ中継機１６→フロア入口分電盤３ｂ→島分電盤５→島入口ＰＬＣ子機モデム３０ａ、３０ｂ、・・・→島入口ＰＬＣ親機モデム３１ａ、３１ｂ、・・・第２分岐アダプタ７→ＰＬＣ子機モデム９へと、通信線１０ｂ、１０ｃ、１０ｄ、１０ｅ等や電力線４ｅ、４ｂ、４ｃ等による伝送路が形成される。その際、ＰＬＣ子機モデム９は、配線工事において互いに異なるＡ相とＢ相に接続されることで、それぞれの相の異なるものが混在してしまうことになる。
【００９０】
また、第１分岐アダプタ１５を経由して異なるＡ相とＢ相に接続された島入口ＰＬＣ子機モデム３０ａが存在すると逆相ロスが発生するので、特定の島入口ＰＬＣ子機モデム３０ａは通信不能になる現象が発生する。そこで、本実施例では、フロア入口分電盤３ｂとＰＬＣ中継機１６ａ、１６ｂ、・・・及び島分電盤５との接続を、図１０に示すような構成としている。
【００９１】
すなわち、同図は、フロア入口分電盤３ｂを３２分岐の構成とし、１６分岐のＡ相及びＢ相の電線Ｌ１、Ｌ２と、中性線Ｌ０とにブレーカが接続される構成を示している。このような３２分岐構成のフロア入口分電盤３を用いた場合、Ａ相（同相）とＢ相（逆相）のそれぞれの中点に第１分岐アダプタ１５及び島分電盤５を接続するようにする。なお、Ａ相（同相）とＢ相（逆相）のそれぞれの中点とは、Ａ相側に配置した１６個の分岐点の中央に位置する分岐点となるブレーカ（ａ８）の位置と、Ｂ相側に配置した１６個の分岐点の中央に位置する分岐点となるブレーカ（ｂ８）の位置、すなわちＡ相側に配列された分岐点の中央部と、Ｂ相側に配列された分岐点の中央部である。
【００９２】
このように、フロア入口分電盤３ｂのＡ相（同相）とＢ相（逆相）のそれぞれの中点にＰＬＣ中継機１６及び島分電盤５を接続すると、フロア入口分電盤３ｂの分岐ロスを最小化することが可能になる。また、島入口ＰＬＣ子機モデム３０ａ、３０ｂ、・・・及び島入口ＰＬＣ親機モデム３１ａ、３１ｂ、・・・と電力線を介して接続されるＰＬＣ子機モデム９は、４分岐の第２分岐アダプタ７経由で同相と逆相とが接続されての逆相接続による混在がなくなるので、逆相接続に伴うロスをなくすることが可能となる。
【００９３】
なお、図１１は、フロア入口分電盤３ｂを３線で配線する場合の例を示している。この場合も、１６分岐の中点となるブレーカ（８）にＰＬＣ中継機１６又は島分電盤５を接続することで、分岐ロスを最小化したり、ＰＬＣ子機モデム９の逆相接続に伴うロスをなくしたりすることが可能となる。
【００９４】
次に、島分電盤５と島入口ＰＬＣ子機モデム３０ａ、３０ｂ、・・・との接続方法について、図１２及び図１３に基づいて説明する。
【００９５】
図１２は、３線配線により、３２分岐（片側１６分岐）の島分電盤５から最も近い位置に配置されたコンセントに電力を供給する電力線４（ブレーカ（ａ１）とブレーカ（ｂ１）に接続された電力線）の双方に、島入口ＰＬＣ子機モデム３０ａ、３０ｂ、・・・のいずれかかのＡＣ１００Ｖ接続ポート（回線側）が接続された場合を示すものである。
【００９６】
また、図１３は、２線配線により、１６分岐の島分電盤５から最も近い位置に配置されたコンセントに電力を供給する電力線４（ブレーカ（１）に接続された電力線）に島入口ＰＬＣ子機モデム３０ａ、３０ｂ、・・・のいずれかのＡＣ１００Ｖ接続ポート（回線側）が接続された場合を示すものである。
【００９７】
これらの図のように、島分電盤５から配線された遊技機島内のコンセントのうち、島分電盤５から最も近い位置に配置されたコンセントに島入口ＰＬＣ子機モデム３０ａ、３０ｂ、・・・のいずれかかのＡＣ１００Ｖ接続ポート（回線側）が接続されるようにすると、遊技機島内の分岐ロスが最小化されるとともに、ＰＬＣ親機モデム１３との逆相ロスもなくすることが可能となる。なお、遊技機島に分電盤を設置する必要がない場合には、フロアの分電盤３ｂから分岐して遊技機島内に設置した最初のコンセントに島入口ＰＬＣ子機モデム３０ａ、３０ｂ、・・・のいずれかかのＡＣ１００Ｖ接続ポート（回線側）を接続するようにしてもよい。
【００９８】
次に、ＰＬＣ親機モデム１３、ＰＬＣ中継機１６ａ、１６ｂ、・・・、島入口ＰＬＣ子機モデム３０ａ、３０ｂ、・・・間のデータ伝送について説明する。
【００９９】
上述したように、ＰＬＣ親機モデム１３は所定の時間間隔毎である、たとえば１０ｍｓ〜５０ｍｓの範囲内の特定の時間間隔で、クロックパルスとなる同期信号Ｔ１、Ｔ２、・・・を各ＰＬＣ中継機１６ａ、１６ｂ、・・・に送信する。そして、ＰＬＣ中継機１６ａ、１６ｂ、・・・は、ＰＬＣ親機モデム１３から受信した同期信号を基に同期を確立し、島入口ＰＬＣ子機モデム３０ａ、３０ｂ、・・・に対してその同期に合わせた同期信号を送信する。このとき、このＰＬＣ中継機１６ａ、１６ｂ、・・・から島入口ＰＬＣ子機モデム３０ａ、３０ｂ、・・・への同期信号は、直交周波数分割多重方式（ＯＦＤＭ）により符号分割多重及び周波数分割多重されて伝送される。このＯＦＤＭ方式においては、たとえば周波数は１６分割とし、符号は４分割としている。
【０１００】
図１４は、ＰＬＣ親機モデム１３→ＰＬＣ中継機１６ａ、１６ｂ、・・・→島入口ＰＬＣ子機モデム３０ａ、３０ｂ、・・・の間でのデータ伝送に用いられる第１のマスタフレームの構成の一例を示す図である。同図に示す第１のマスタフレームは、同期信号送信帯域と、緊急通報のために使用する緊急通報帯域（イベントフラグ（ＩＦ）伝送帯域）と、共有帯域となるユーザデータ伝送帯域（ユーザデータ（ＵＤ）の伝送帯域）とを有している。また、同期信号送信帯域は、同期信号帯域と特定中継機帯域とを有している。
【０１０１】
同期信号帯域は、第１の同期信号となるＢＣ１信号（ビーコン信号）及び第２の同期信号となるＢＣ２信号（ビーコン信号）の送受信に用いられる帯域となっている。ＢＣ１信号はＰＬＣ親機モデム１３とＰＬＣ中継機１６ａ、１６ｂ、・・・との間でのデータ送受信に使用され、ＢＣ２信号はＰＬＣ中継機１６ａ、１６ｂ、・・・と島入口ＰＬＣ子機モデム３０ａ、３０ｂ、・・・との間でのデータ送受信を行うための基準となる同期信号を送信するために使用される。
【０１０２】
なお、このＢＣ１信号には、第１の同期信号の他に、ＰＬＣ親機モデム１３が設定した送信権に関する情報、すなわち、ポーリング制御を行うためのアドレス情報等が含まれる。このＢＣ１信号に含まれるアドレス情報は、ＰＬＣ親機モデム１３とＰＬＣ中継機１６ａ、１６ｂ、・・・との間におけるデータ伝送の送信権を設定するための情報となり、第１の送信権タイムスロットになる。また、ＢＣ２信号は、ＰＬＣ中継機１６ａ、１６ｂ、・・・がＰＬＣ親機モデム１３から受信した第１の同期信号に基づいて同期を確立し、ＰＬＣ親機モデム１３と同期を確立した状態で、新たな同期信号（第２の同期信号）を島入口ＰＬＣ子機モデム３０ａ、３０ｂ、・・・に送信するために使用される。
【０１０３】
また、特定中継機帯域には、ＰＬＣ中継機１６ａ、１６ｂ、・・・と島入口ＰＬＣ子機モデム３０ａ、３０ｂ、・・・との間の送信権に関する情報が含まれる。すなわち、その特定中継機帯域は、ＰＬＣ親機モデム１３から伝送されたアドレス情報を島入口ＰＬＣ子機モデム３０ａ、３０ｂ、・・・に送信するための帯域として使用されるものであり、第２の送信権タイムスロットとなる。
【０１０４】
なお、ＢＣ２信号は、符号４分割とされることで、４個の異なるビーコン信号であるＢＣ２Ａ信号、ＢＣ２Ｂ信号（図示せず）、ＢＣ２Ｃ信号（図示せず）及びＢＣ２Ｄ信号が送受信されるとともに、周波数１６分割とされることで、各ＢＣ２Ａ信号、ＢＣ２Ｂ信号、ＢＣ２Ｃ信号及びＢＣ２Ｄ信号毎に、１６種類のＢＣ２Ａ信号（＃１）〜ＢＣ２Ａ信号（＃１６）、ＢＣ２Ｂ信号（＃１）〜ＢＣ２Ｂ信号（＃１６）、ＢＣ２Ｃ信号（＃１）〜ＢＣ２Ｃ信号（＃１６）及びＢＣ２Ｄ信号（＃１）〜ＢＣ２Ｄ信号（＃１６）が送受信される。
【０１０５】
このように、第２の同期信号となるＢＣ２信号は、全てのＰＬＣ中継機１６ａ、１６ｂ、・・・の制御配下の島入口ＰＬＣ子機モデム３０ａ、３０ｂ、・・・に同時送信されるので、多重しても分離できるように周波数分割と符号分割で多重している。また、特定中継機帯域は、ＰＬＣ中継機１６ａ、１６ｂ、・・・において、ＰＬＣ親機モデム１３からの送信権情報が送信される際に衝突を生じさせないようにするために設けられている。
【０１０６】
また、特定中継機帯域は、ＰＬＣ親機モデム１３からの送信権情報を島入口ＰＬＣ子機モデム３０ａ、３０ｂ、・・・に転送する場合や、島入口ＰＬＣ子機モデム３０ａ、３０ｂ、・・・からイベント情報をＰＬＣ親機モデム１３に転送する場合に使用される。
【０１０７】
緊急通報帯域（イベントフラグ（ＩＦ）伝送帯域）は、島入口ＰＬＣ子機モデム３０ａ、３０ｂ、・・・がイベント情報（緊急通報に関する情報）を、ＰＬＣ中継機１６ａ、１６ｂ、・・・に緊急通報するために設けられている。ＰＬＣ中継機１６ａ、１６ｂ、・・・は、島入口ＰＬＣ子機モデム３０ａ、３０ｂ、・・・からのイベントフラグ（ＩＦ）を受信すると、特定中継機帯域を使用してそのイベント情報をＰＬＣ親機モデム１３に伝送する。イベント情報としては、たとえば遊技機８に大当りが発生したときの大当りに関する情報、あるいは遊技機８が備えている各種のセンサが何らかの異常（たとえば不正行為に係る情報等）を検出したときに、その不正情報に関する情報等であり、そのデータ長は数バイト（ｂｙｔｅ）と短くすることが望ましい。
【０１０８】
なお、この不正情報の検出に際しては、遊技機８に設置されている、たとえば遊技機８の扉が開いたことを検出する光電あるいは接触式の検出センサ、磁石の磁力を検出する磁気センサ、遊技機８の振動を検出する３軸加速度センサ等の振動検出センサが検出した検出信号を用いることができる。
【０１０９】
データ伝送の共有帯域は、店舗サーバ１２あるいはＰＣ端末１９から伝送要求されたユーザデータ（ＵＤ）が、下り方向となる店舗サーバ１２（又はＰＣ端末１９）→ＰＬＣ子機モデム１８→第２のＰＬＣ親機モデム１４→ＰＬＣ親機モデム１３→ＰＬＣ中継機１６ａ、１６ｂ、・・・→島入口ＰＬＣ子機モデム３０ａ、３０ｂ、・・・→島入口ＰＬＣ親機モデム３１ａ、３１ｂ、・・・→ＰＬＣ子機モデム９に伝送するための帯域となる。
【０１１０】
また、そのデータ伝送の共有帯域は、ＰＬＣ子機モデム９が遊技機８から受信したユーザデータ（ＵＤ）が、上り方向となる島入口ＰＬＣ親機モデム３１ａ、３１ｂ、・・・→島入口ＰＬＣ子機モデム３０ａ、３０ｂ、・・・→ＰＬＣ中継機１６ａ、１６ｂ、・・・→ＰＬＣ親機モデム１３→第２の親機モデム１４→ＰＬＣ子機モデム１８→店舗サーバ１２（又はＰＣ端末１９）に伝送するための帯域となる。ただし、ＰＬＣ子機モデム１８とＰＬＣ親機モデム１４の回線と、ＰＬＣ親機モデム１３〜ＰＬＣ中継機１６ａ、１６ｂ、・・・〜島入口ＰＬＣ子機モデム３０ａ、３０ｂ間の回線と、島入口ＰＬＣ親機モデム３１ａ、３１ｂ、・・・とＰＬＣ子機モデム９間の回線とは、それぞれ独立している。このように、データ伝送の共有帯域は、下り方向と上り方向とでユーザデータ（ＵＤ）を伝送するときに共通して使用される帯域とされているため、マスタフレーム内の帯域の多くを使用することにより、データ伝送の実効速度を高める場合に有効となる。
【０１１１】
（ポーリングテーブルの構成）
本実施例でのポーリング制御は、ＰＬＣ親機モデム１３が所定の時間間隔で伝送する第１の同期信号Ｔ１、Ｔ２、Ｔ３、・・・に基づき、ＰＬＣ中継機１６ａ、１６ｂ、・・・と島入口ＰＬＣ子機モデム３０ａ、３０ｂ、・・・とが同期を確立した状態で実行される。このポーリング制御を実行するためには、ＰＬＣ親機モデム１３が島入口ＰＬＣ子機モデム３０ａ、３０ｂ、・・・をポーリングする順番（順序）を設定したアドレス情報（以下、「ポーリングテーブル」という）を必要とする。
【０１１２】
図１５（ａ）は、ＰＬＣ親機モデム１３、複数のＰＬＣ中継機１６ａ、１６ｂ、・・・及び複数の島入口ＰＬＣ子機モデム３０ａ、３０ｂ、・・・のアドレス情報である、それぞれを識別するためのＰＬＣ機種識別情報と、各ＰＬＣ中継機１６ａ、１６ｂ、・・・と島入口ＰＬＣ子機モデム３０ａ、３０ｂ、・・・との接続関係等を示すものである。
【０１１３】
ここで、アドレス情報となる識別番号が、ＰＬＣ親機モデム１３、ＰＬＣ中継機１６ａ、１６ｂ、・・・、島入口ＰＬＣ子機モデム３０ａ、３０ｂ、・・・のデータ伝送の送信権を示す情報となり、特定の親機モデム１３、特定のＰＬＣ中継機１６ａ、１６ｂ、・・・及び特定の島入口ＰＬＣ子機モデム３０ａ、３０ｂ、・・・を特定するアドレス情報となる。
【０１１４】
すなわち、２ビットからなるＰＬＣ機種識別情報（ａｔ１）として、ＰＬＣ親機モデム１３には［００］を、ＰＬＣ中継機１６ａ、１６ｂ、・・・には［０１］を、島入口ＰＬＣ子機モデム３０ａ、３０ｂ、・・・には［１０］を設定している。また、ＰＬＣ中継機１６ａ、１６ｂ、・・・は複数設置されているので、設置台数に対応して、各ＰＬＣ中継機１６ａ、１６ｂ、・・・に１６進数表示で（０１）〜（３Ｆ）内のいずれかの６ビットからなる識別番号（ａｔ２）を設定している。この場合、３Ｆ＝６３であるため、ＰＬＣ中継機１６ａ、１６ｂ、・・・は最大６３台設置可能であることを示している。
【０１１５】
同様に、島入口ＰＬＣ子機モデム３０ａ、３０ｂ、・・・は複数設置されているので、それぞれの島入口ＰＬＣ子機モデム３０ａ、３０ｂ、・・・には１６進数表示で（００）〜（ＦＦ）内のいずれかの８ビットからなる識別番号（ａｔ３）を設定している。この場合、ＦＦ＝２５５であるため、１台のＰＬＣ中継機１６ａ、１６ｂ、・・・に対して最大２５６台設置可能であることを示している。
【０１１６】
よって、ＰＬＣ中継機１６ａ、１６ｂ、・・・の識別番号（ａｔ２）が［０１］の制御配下にある島入口ＰＬＣ子機モデム３０ａ、３０ｂ、・・・において、この島入口ＰＬＣ子機モデム３０ａ、３０ｂ、・・・の識別番号（ａｔ３）が［００］の場合にはそのアドレス情報を２進数で、ＰＬＣ親機モデムを［００］、ＰＬＣ中継機１６ａ、１６ｂ、・・・を［０００００１］、島入口ＰＬＣ子機モデム３０ａ、３０ｂ、・・・を［００００００００］とした計１６ビット（２バイト：１ワード）からなる情報として表現することができる。この２バイトで表現される情報は、これら特定の島入口ＰＬＣ子機モデム３０ａ、３０ｂ、・・・の物理的アドレス（アドレス情報）を表すものとなると同時に、ＰＬＣ中継機１６ａ、１６ｂ、・・・と島入口ＰＬＣ子機モデム３０ａ、３０ｂ、・・・との接続構成を示すものとなる。
【０１１７】
そして、ＰＬＣ親機モデム１３がポーリング制御するために、上記した１ワードからなるアドレス情報をポーリング制御する順番にデータテーブルとして配列した情報をポーリングテーブル（ＰＴ）として、ＰＬＣ親機モデム１３のＲＯＭ４４ｂに予め登録しておく。図１５（ｂ）に、このポーリングテーブル（ＰＴ）のデータ構成の一例を示している。
【０１１８】
すなわち、ＰＬＣ親機モデム１３、ＰＬＣ中継機１６ａ、１６ｂ、・・・及島入口ＰＬＣ子機モデム３０ａ、３０ｂ、・・・に識別情報を設定すると、たとえばＰＬＣ中継機３０ａの識別情報（ａｔ２）が［０１］の制御配下にある島入口ＰＬＣ子機モデム３０ａ、３０ｂ、・・・において、この島入口ＰＬＣ子機モデム３０ａ、３０ｂ、・・・の識別情報（ａｔ３）が［００］の場合には、ＰＬＣ親機モデム１３とたとえばＰＬＣ中継機１６ａとＰＬＣ中継機１６ａ、１６ｂ、・・・との繋がりを一つの装置とみなす。この場合、１台のＰＬＣ親機モデム１３は、機種識別情報が２ビットの［００］なので、これに６ビットの［００００００１］と８ビットの［００００００００］を並べた１６ビット（２バイト：１ワード）の固有の識別情報として表すことができる。この２バイトの識別情報は、図１５（ｂ）のポーリングテーブルＰＴの順番１の欄に示されているようになる。
【０１１９】
同様にして、６ビットの識別情報［０００００１］で表されるたとえばＰＬＣ中継機１６ａの固有の識別情報は、機種識別情報が［０１］なので、これに６ビットの識別情報［０００００１］と８ビットの［００００００００］を並べた１６ビット（２バイト：１ワード）を固有の識別情報として表すことができる。この２バイトの識別情報が、図１５（ｂ）のポーリングテーブルＰＴの順番２の欄に示されているとおり、ＰＬＣ中継機＃１の固有の識別情報となる。
【０１２０】
同様に、ＰＬＣ中継機＃１の制御配下にあり、８ビットの識別情報［００００００００］で表されるたとえば島入口ＰＬＣ子機モデム３０ａ（＃０）の固有の識別情報は、機種識別情報が［１０］なので、これに６ビットの識別情報［０００００１］（ＰＬＣ中継機＃１の制御配下にあることを示す）と８ビットの［００００００００］を並べた１６ビット（２バイト：１ワード）を固有の識別情報として表すことができる。この２バイトの識別情報が、図１５（ｂ）のポーリングテーブルＰＴの順番３の欄に示されているとおり、ＰＬＣ子機＃１の固有の識別情報となる。
【０１２１】
ＰＬＣ親機モデム１３が図１５（ｂ）に示すポーリングテーブル（ＰＴ）に基づいて、ポーリング制御を行う手順例を説明すると、次のようになる。
【０１２２】
１）最初に、図１５（ｂ）に示す順番１で示される２バイトのアドレス情報（ＰＬＣ親機モデム１３の固有の識別情報）を、ビーコンＢＣ１信号とともにＰＬＣ中継機１６ａ、１６ｂ、・・・に伝送する。そして、ＰＬＣ中継機１６ａ、１６ｂ、・・・は、このアドレス情報を受信すると、ビーコンＢＣ２信号を制御配下の島入口ＰＬＣ子機モデム３０ａ、３０ｂ、・・・に伝送する。
【０１２３】
２）続いて、ＰＬＣ親機モデム１３は、図１５（ｂ）に示す順番２で示される２バイトのアドレス情報（ＰＬＣ中継機＃１の固有の識別情報）を、ビーコンＢＣ１信号とともにＰＬＣ中継機１６ａ、１６ｂ、・・・に伝送する。そして、ＰＬＣ中継機１６ａ、１６ｂ、・・・は、このアドレス情報を受信すると、ビーコンＢＣ２信号を制御配下のＰＬＣ中継機１６ａ、１６ｂ、・・・に伝送する。
【０１２４】
３）続いて、ＰＬＣ親機モデム１３は、図１５（ｂ）に示す順番３で示される２バイトのアドレス情報（ＰＬＣ子機機＃１の固有の識別情報）を、ビーコンＢＣ１信号とともにＰＬＣ中継機１６ａ、１６ｂ、・・・に伝送する。そして、ＰＬＣ中継機１６ａ、１６ｂ、・・・は、このアドレス情報を受信すると、ビーコンＢＣ２信号を島入口ＰＬＣ子機モデム３０ａ、３０ｂ、・・・に伝送する。このときＰＬＣ中継機１６ａ、１６ｂ、・・・は、受信したアドレス情報の上位８ビットが自局の固有の識別情報の上位８ビットと該当するか否かを判定し、該当した場合には、特定中継機帯域を用いてＰＬＣ親機モデム１３から受信した１６ビットのアドレス情報を制御配下の島入口ＰＬＣ子機モデム３０ａ、３０ｂ、・・・に伝送する。そして、このＰＬＣ中継機１６ａ、１６ｂ、・・・の制御配下の島入口ＰＬＣ子機モデム３０ａ、３０ｂ、・・・は、アドレス情報を受信すると、制御プログラムによりこの受信したアドレス情報が自分の固有の識別情報（１６ビット）と一致するか否かを判定する。この判定処理で一致した場合には、島入口ＰＬＣ子機モデム３０ａ、３０ｂ、・・・は自局に送信権が付与されたと判定し、ＲＡＭ４４ｃに記憶している遊技機８（端末装置）からのユーザデータを、そのユーザデータの伝送帯域を用いてＰＬＣ中継機１６に送信する処理を行う。
【０１２５】
４）続いて、ＰＬＣ親機モデム１３は、図１５（ｂ）に示す順番４で示される２バイトのアドレス情報（ＰＬＣ中継機＃１の固有の識別情報）を、ビーコンＢＣ１信号とともにＰＬＣ中継機１６ａ、１６ｂ、・・・に伝送する。そして、ＰＬＣ中継機１６ａ、１６ｂ、・・・は、このアドレス情報を受信すると、ビーコンＢＣ２信号を島入口ＰＬＣ子機モデム３０ａ、３０ｂ、・・・に伝送する。このときＰＬＣ中継機１６ａ、１６ｂ、・・・は、受信したアドレス情報の１６８ビットが自局の固有の識別情報の１６ビットと一致するか否かを判定し、一致した場合には、送信権が付与されたと判定して、島入口ＰＬＣ子機モデム３０ａ、３０ｂ、・・・から受信したユーザデータを、ユーザデータの伝送帯域を用いてＰＬＣ親機１３に送信する処理を行う。ＰＬＣ親機１３はこのユーザデータを受信すると、このユーザデータを直ちに第２のＰＬＣ親機モデム１４に伝送する処理を行う。
【０１２６】
５）以下、上記の手順でＰＬＣ親機モデム１３は、図１５（ｂ）に示すポーリングテーブルＰＴにより設定されている順番に従ってポーリング制御を繰り返して行う。
【０１２７】
図１６は、島入口ＰＬＣ親機モデム３１ａ、３１ｂ、・・・→ＰＬＣ子機モデム９の間でのデータ伝送に用いられる第２のマスタフレームの構成の一例を示す図である。同図に示す第２のマスタフレームは、上述した第１のマスタフレームとほぼ同じように、同期信号送信帯域（第２の同期信号送信帯域）と、緊急通報のために使用する緊急通報帯域（イベントフラグ（ＩＦ）伝送帯域）と、共有帯域となるユーザデータ伝送帯域（ユーザデータ（ＵＤ）の伝送帯域）とを有しているが、同期信号送信帯域におけるＢＣ３信号（ビーコン信号）が上述したＢＣ１信号（ビーコン信号）とは非同期となっている点で相違している。
【０１２８】
ここで、ＢＣ３信号は、島入口ＰＬＣ親機モデム３１ａ、３１ｂ、・・・とＰＬＣ子機モデム９との間でのデータ送受信に使用される。また、このＢＣ３信号には、同期信号の他に、島入口ＰＬＣ親機モデム３１ａ、３１ｂ、・・・が設定した送信権に関する情報、すなわち、ポーリング制御を行うためのアドレス情報等が含まれる。
【０１２９】
緊急通報帯域（イベントフラグ（ＩＦ）伝送帯域）は、ＰＬＣ子機モデム９がイベント情報（緊急通報に関する情報）を、島入口ＰＬＣ親機モデム３１ａ、３１ｂ、・・・に緊急通報するために設けられている。島入口ＰＬＣ親機モデム３１ａ、３１ｂ、・・・は、ＰＬＣ子機モデム９からのイベントフラグ（ＩＦ）を受信すると、そのイベントフラグ（ＩＦ）をＬＡＮでのデータ伝送のフォーマットに従って島入口ＰＬＣ子機モデム３０ａ、３０ｂ、・・・に渡す。ここで島入口ＰＬＣ子機モデム３０ａ、３０ｂ、・・・に渡されるデータは、たとえばショートパケットとされる。ちなみに、島入口ＰＬＣ親機モデム３１ａ、３１ｂ、・・・から島入口ＰＬＣ子機モデム３０ａ、３０ｂ、・・・にＬＡＮでのデータ伝送のフォーマットに従って渡されるユーザデータ（ＵＤ）は、ロングパケットとされる。
【０１３０】
なお、この不正情報の検出に際しては、上述したように、遊技機８に設置されている、たとえば遊技機８の扉が開いたことを検出する光電あるいは接触式の検出センサ、磁石の磁力を検出する磁気センサ、遊技機８の振動を検出する３軸加速度センサ等の振動検出センサが検出した検出信号を用いることができる。
【０１３１】
データ伝送の共有帯域は、上述したように、店舗サーバ１２あるいはＰＣ端末１９から伝送要求されたユーザデータ（ＵＤ）が、下り方向となる店舗サーバ１２（又はＰＣ端末１９）→ＰＬＣ子機モデム１８→第２のＰＬＣ親機モデム１４→ＰＬＣ親機モデム１３→ＰＬＣ中継機１６ａ、１６ｂ、・・・→島入口ＰＬＣ子機モデム３０ａ、３０ｂ、・・・→島入口ＰＬＣ親機モデム３１ａ、３１ｂ、・・・→ＰＬＣ子機モデム９に伝送するための帯域となる。
【０１３２】
また、そのデータ伝送の共有帯域は、ＰＬＣ子機モデム９が遊技機８から受信したユーザデータ（ＵＤ）が、上り方向となる島入口ＰＬＣ親機モデム３１ａ、３１ｂ、・・・→島入口ＰＬＣ子機モデム３０ａ、３０ｂ、・・・→ＰＬＣ中継機１６ａ、１６ｂ、・・・→ＰＬＣ親機モデム１３→第２の親機モデム１４→ＰＬＣ子機モデム１８→店舗サーバ１２（又はＰＣ端末１９）に伝送するための帯域となる。このように、データ伝送の共有帯域は、下り方向と上り方向とでユーザデータ（ＵＤ）を伝送するときに共通して使用される帯域とされているため、マスタフレーム内の帯域の多くを使用することにより、データ伝送の実効速度を高める場合に有効となる。
【０１３３】
図１７（ａ）は、島入口ＰＬＣ親機モデム３１ａ、３１ｂ、・・・及び複数のＰＬＣ子機モデム９のアドレス情報である、それぞれを識別するためのＰＬＣ機種識別情報と、各島入口ＰＬＣ親機モデム３１ａ、３１ｂ、・・・とＰＬＣ子機モデム９との接続関係等を示すものである。
【０１３４】
ここで、アドレス情報となる識別番号が、上記同様に、島入口ＰＬＣ親機モデム３１ａ、３１ｂ、・・・とＰＬＣ子機モデム９との間のデータ伝送の送信権を示す情報となり、特定のＰＬＣ子機モデム９を特定するアドレス情報となる。
【０１３５】
図１７（ｂ）は、島入口ＰＬＣ親機モデム３１ａ、３１ｂ、・・・がＰＬＣ子機モデム９をポーリング制御するためポーリングテーブル（ＰＴ）のデータ構成の一例である。
【０１３６】
すなわち、上記同様に、島入口ＰＬＣ親機モデム３１ａ、３１ｂ、・・・とＰＬＣ子機モデム９に識別情報を設定すると、たとえば島入口ＰＬＣ親機モデム３１ａ、３１ｂ、・・・の識別情報（ａｔ１）が［００］の制御配下にあるＰＬＣ子機モデム９において、このＰＬＣ子機モデム９の識別情報（ａｔ３）が［００］の場合には、島入口ＰＬＣ親機モデム３１ａ、３１ｂ、・・・とＰＬＣ子機モデム９との繋がりを一つの装置とみなす。この場合、１台の島入口ＰＬＣ親機モデム３１ａ、３１ｂ、・・・は、機種識別情報が２ビットの［００］なので、これに８ビットの［００００００００］を並べた１６ビット（２バイト：１ワード）の固有の識別情報として表すことができる。この２バイトの識別情報は、図１７（ｂ）のポーリングテーブルＰＴの順番１の欄に示されているようになる。なお、識別情報（ａｔ２）が［００］は、ＰＬＣ中継機１６ａ、１６ｂ、・・・無しを示している。
【０１３７】
そして、上記同様の手順で島入口ＰＬＣ親機モデム３１ａ、３１ｂ、・・・は、図１７（ｂ）に示すポーリングテーブルＰＴにより設定されている順番に従ってポーリング制御を繰り返して行う。
【０１３８】
（ポーリング制御の手順）
次に、ポーリング制御の手順を、図１８に示すタイムチャートに基づいて説明する。同図は、ＰＬＣ親機モデム１３が所定の時間間隔で送出する第１の同期信号Ｔ１、Ｔ２、Ｔ３、・・・に基づいて同期を確立し、ＰＬＣ親機モデム１３から、複数のＰＬＣ中継機１６ａ、１６ｂ、・・・のうちのＰＬＣ中継機１６ａを経由し、ＰＬＣ中継機１６ａの制御配下にある島入口ＰＬＣ子機モデム３０ａ、３０ｂがポーリング制御される場合を示している。
【０１３９】
まず、ＰＬＣ親機モデム１３は、第１の同期信号Ｔ１、Ｔ２、Ｔ３、・・・に基づいて、予め設定された上述のポーリングテーブル（ＰＴ）を参照し、ＰＬＣ中継機３０ａを経由し全ての島入口ＰＬＣ子機モデム３０ａ、３０ｂ、・・・に対して、順次、ユーザデータ伝送のポーリング制御を行う。このポーリング制御を実施する手順は、下記の（手順１）〜（手順６）の順で実施することができる。なお、このポーリング制御は、ＰＬＣ親機モデム１３、ＰＬＣ中継機１６ａの各ＲＯＭ４４ｂに記憶されている制御プログラムに従って実行される。
【０１４０】
（手順１）
ＰＬＣ親機モデム１３は、第１の同期信号となる同期信号Ｔ１をＢＣ１信号として、各ＰＬＣ中継機１６ａ、１６ｂ、・・・に伝送する処理を行う。このとき、ＢＣ１信号に含まれるアドレス情報がＰＬＣ中継機１６ａを示すものであると、ＰＬＣ中継機１６ａが自分に該当するか否かを判定することで、ＢＣ１信号に含まれるアドレス情報を識別できる。
【０１４１】
図１８に示す例は、ＰＬＣ親機モデム１３がＰＬＣ中継機１６ａを中継して島入口ＰＬＣ子機モデム３０ａをポーリングする例を示している。この場合、ＰＬＣ親機モデム１３が同期信号Ｔ１に同期させて、この同期信号Ｔ１と上記の処理で求めたアドレス（送信権）情報とをＢＣ１信号とし、マスタフレームのＢＣ１信号を送出するタイムスロット（第１の送信権タイムスロット）を利用して全てのＰＬＣ中継機１６ａ、１６ｂ、・・・に伝送するが、ＢＣ１信号に含まれるアドレス情報がＰＬＣ中継機１６ａを示すものであるとき、ＰＬＣ中継機１６ａが自分に該当するか否かを判定することで、ＢＣ１信号に含まれるアドレス情報を識別することになる。
【０１４２】
（手順２）
ＰＬＣ中継機モデム１６ａは、ＰＬＣ親機モデム１３からＢＣ１信号を受信すると、（Ｐ２）に示すように、その第１の同期信号Ｔ１を基に同期を確立し、制御配下の全ての島入口ＰＬＣ子機モデム３０ａ、３０ｂ、・・・に対して第２の同期信号（ＢＣ２信号）を送信する。このＢＣ２信号は、上述したように、直交周波数分割多重方式（ＯＦＤＭ）により伝送される。この場合、上述したように、全ての島入口ＰＬＣ子機モデム３０ａ、３０ｂ、・・・がそのＢＣ２信号に基づいて同期を確立することになる。
【０１４３】
これにより、ＰＬＣ親機モデム１３と、ＰＬＣ中継機１６ａ、１６ｂ、・・・と、島入口ＰＬＣ子機モデム３０ａ、３０ｂ、・・・は、同一の時間軸で同一の送信権情報を共有することができるようになる。また、ＰＬＣ中継機モデム１６ａは、ＰＬＣ親機モデム１３からユーザデータ（ＵＤ）が伝送された場合にはこのユーザデータ（ＵＤ）の受信処理を行う。
【０１４４】
なお、上記した（手順２）の処理において、ＰＬＣ中継機モデム１６ａがＢＣ１信号帯域を利用してＰＬＣ親機モデム１３から受信した送信権情報を、たとえば島入口ＰＬＣ子機モデム３０ａに送信する場合、次のような処理を用いることができる。すなわち、ＰＬＣ中継機モデム１６ａの制御プログラムは、親機モデムＰＬＣ１３から伝送された送信権情報（島入口ＰＬＣ子機モデム３０ａのアドレス情報）が自分及び制御配下の島入口ＰＬＣ子機モデム３０ａに該当するか否かを判定することが可能となる。そして、該当すると判定した場合には、特定中継機帯域を使用することが可能となり、受信したアドレス情報をそのまま島入口ＰＬＣ子機モデム３０ａへ伝送する。一方、該当しない場合には特定中継機帯域を使用せず、何も処理を行わないようにする。
【０１４５】
（手順３）
ＰＬＣ中継機モデム１６ａは、次の同期信号Ｔ２の受信に基づいて同期を確立し、新たな同期信号となるＢＣ２信号を全ての島入口ＰＬＣ子機モデム３０ａ、３０ｂ、・・・に伝送する（Ｐ３）。このとき、上述したように、ＢＣ２信号に基づいて全ての島入口ＰＬＣ子機モデム３０ａ、３０ｂ、・・・が同期を確立することになる。さらに、ＰＬＣ中継機モデム１６ａは、特定中継機帯域のタイムスロットを利用してアドレス情報を自分の配下の島入口ＰＬＣ子機モデム３０ａ、３０ｂ、・・・に伝送する。
【０１４６】
（手順４）
図１８に示す（Ｐ４）において、島入口ＰＬＣ子機モデム３０ａが、ＰＬＣ中継機モデム１６ａからの特定中継機帯域に含まれているアドレス情報を受信すると、そのアドレス情報が自分のアドレス情報に一致しているか否かを判定する。そして、一致していると判定した場合には、自分に送信権が与えられたと判定し、島入口ＰＬＣ親機モデム３１ａ、３１ｂ、・・・を介して遊技機８から何らかのユーザデータ（ＵＤ）を受信しているか否かを判定する。その判定結果、遊技機８からユーザデータ（ＵＤ）を受信していた場合には、（Ｐ５）に示すように、次の同期信号Ｔ３により確立したＢＣ２信号に基づいて、島入口ＰＬＣ親機モデム３１ａ、３１ｂ、・・・を介して得られる遊技機８からのユーザデータ（ＵＤ）をマスタフレームのユーザデータ（ＵＤ）の伝送帯域を利用してＰＬＣ中継機１６ａに送信する処理を行う。
【０１４７】
（手順５）
ＰＬＣ中継機モデム１６ａは、上記（手順４）に基づいて島入口ＰＬＣ子機モデム３０ａから上りのユーザデータ（ＵＤ）を受信すると（Ｐ６）、ＰＬＣ親機モデム１３の指示に従って受信したユーザデータを次の同期信号Ｔ４に同期させて、ＰＬＣ親機モデム１３に伝送する処理を行う（Ｐ７）。
【０１４８】
（手順６）
ＰＬＣ親機モデム１３は、上記（手順５）の処理により、上りのユーザデータ（ＵＤ）を受信すると、受信したユーザデータ（ＵＤ）を、直ちに第２のＰＬＣ親機モデム１４に図１４で説明したマスタフレームとは独立したタイミングで伝送する処理を行う（Ｐ８）。そして、第２のＰＬＣ親機モデム１４は、ＰＬＣ親機モデム１３からこれらのデータを受信すると、ＰＬＣ子機モデム１８に伝送する同期信号（第２のＰＬＣ親機モデム１４のＢＣ１信号）に同期させて、受信したユーザデータ（ＵＤ）をＰＬＣ子機モデム１８に伝送する処理を行う。ＰＬＣ子機モデム１８は、受信した上りのユーザデータ（ＵＤ）をＬＡＮ１１でのデータ伝送のフォーマットに従ってＬＡＮ１１に送信する処理を行う。
【０１４９】
この（手順６）の処理により、ホール内監視室（Ｄ）内に設置されている店舗サーバ１２又はＰＣ端末１９は、遊技機８からの情報を取得することが可能となる。なお、ＰＬＣ親機モデム１３は、次の同期信号Ｔ５に基づいてポーリングテーブル（ＰＴ）を参照し、次のポーリング順番に相当するＰＬＣ子機モデム、たとえば島入口ＰＬＣ子機モデム３０ｂに対するポーリング制御を実行する。このようにして、ＰＬＣ親機モデム１３は、ポーリングテーブル（ＰＴ）に登録しているポーリング順番に従って、全ての島入口ＰＬＣ子機モデム３０ａ、３０ｂ、・・・に対するポーリング制御を繰り返して実行する処理を行う。
【０１５０】
また、島入口ＰＬＣ親機モデム３１ａ、３１ｂ、・・・とＰＬＣ子機モデム９との間でのポーリング制御は、上述したポーリングとほぼ同じであるが、上述した第２のマスタフレームの第３の同期信号であるＢＣ３信号に、島入口ＰＬＣ親機モデム３１ａ、３１ｂ、・・・が設定した送信権に関する情報、すなわち、ポーリング制御を行うためのアドレス情報等が含まれる点で相違している。よって、島入口ＰＬＣ親機モデム３１ａ、３１ｂ、・・・とＰＬＣ子機モデム９との間では、ＢＣ３信号に基づいて同期が確立され、自己のアドレス情報を受けたＰＬＣ子機モデム９が呼び出されることになる。また、ＰＬＣ子機モデム９からたとえば島入口ＰＬＣ親機モデム３１ａへユーザデータ（ＵＤ）が送られた場合、島入口ＰＬＣ親機モデム３１ａがＬＡＮでのデータ伝送のフォーマットに従ってそのユーザデータ（ＵＤ）を島入口ＰＬＣ子機モデム３０ａに渡すことになる。
【０１５１】
このようなポーリング制御により、全てのＰＬＣ中継機１６ａ、１６ｂ、・・・は、１台のＰＬＣ親機モデム１３から伝送された同期信号に基づいて同期を確立し、このＰＬＣ親機モデム１３と同期を確立した状態で第２の同期信号を制御配下の全ての島入口ＰＬＣ子機モデム３０ａ、３０ｂ、・・・に送信すると、全ての島入口ＰＬＣ子機モデム３０ａ、３０ｂ、・・・はその第２の同期信号に基づきＰＬＣ中継機１６ａ、１６ｂ、・・・と同期を確立し、また、島入口ＰＬＣ親機モデム３１ａ、３１ｂ、・・・とＰＬＣ子機モデム９との間では第３の同期信号に基づき同期を確立しているため、ＰＬＣ通信を用いたネットワークシステムに２０００台以上（最大２４００台程度）の端末装置である遊技機８等を接続していても、実行速度を低下させずにデータ伝送を行うことができる。
【０１５２】
（緊急通報の手順）
次に、遊技機８からの緊急通報について説明する。この緊急通報は、ＰＬＣ親機モデム１３がポーリングテーブル（ＰＴ）を参照し所定の順序で島入口ＰＬＣ子機モデム３０ａ、３０ｂ、・・・をポーリングする制御に対して、島入口ＰＬＣ子機モデム３０ａ、３０ｂ、・・・が島入口ＰＬＣ親機モデム３１ａ、３１ｂ、・・・を介して遊技機８からの緊急通報に関する情報を受信したとき、送信権がなくても島入口ＰＬＣ子機モデム３０ａ、３０ｂ、・・・の制御プログラムにより、その緊急通報に関する情報を、ネットワーク上で上位に位置するＰＬＣ中継機１６ａ、１６ｂ、・・・を中継してＰＬＣ親機モデム１３に緊急で通報するものである。
【０１５３】
なお、この緊急通報に関する情報とは、上述したように、たとえば遊技機８に大当りが発生したときの情報、あるいは遊技機８に不正行為があったことなどを示す内容である。
【０１５４】
図１９は、島入口ＰＬＣ子機モデム３０ａに、第１の同期信号Ｔ１０に基づくＢＣ２信号（第２の同期信号）を受信した後に、島入口ＰＬＣ親機モデム３１ａを介して遊技機８からの緊急通報に関する情報（Ｋ）が入力されたことを示している。なお、島入口ＰＬＣ子機モデム３０ａの制御プログラムは、島入口ＰＬＣ親機モデム３１ａを介して遊技機８から大当り、異常信号、あるいはその他の情報が転送されると、受信した情報を一旦ＲＡＭ４４ｃに記憶し、店舗サーバ１２又はＰＣ端末１９に緊急通報すべき情報であるか否かを判定する。この緊急通報すべき情報（Ｋ）であるか否かの判定は、たとえば島入口ＰＬＣ親機モデム３１ａを介して遊技機８から送信される情報種別を判定することにより可能になる。
【０１５５】
そして、緊急通報についての処理手順としては、次の（手順１０）〜（手順１５）のようになる。
【０１５６】
（手順１０）
島入口ＰＬＣ子機モデム３０ａの制御プログラムは、島入口ＰＬＣ親機モデム３１ａを介して遊技機８から受信した情報が緊急通報すべき情報（Ｋ）であると判定すると、図１９の（Ｋ１）において、図１４に示したイベントフラグ（ＩＦ）に関するデータを作成する処理を行う。このうち、イベントフラグ（ＩＦ）に関するデータとしては、たとえば大当りが発生したことを示す情報や大当りした遊技機８の遊技機番号に関する情報、あるいは不正行為等の異常の識別情報、ＰＬＣ子機モデム９ａのアドレス情報等である。
【０１５７】
（手順１１）
島入口ＰＬＣ子機モデム３０ａは、図１９に示す（Ｋ１）において、上記（手順１０）の処理で作成したイベントフラグ（ＩＦ）に関するデータを直ちに、マスタフレームの緊急通報帯域（イベントフラグ（ＩＦ）帯域）のタイムスロットを利用してＰＬＣ中継機１６ａに送信する処理を行う。なお、イベントフラグ（ＩＦ）に関するデータは、大当りを示す情報、又は不正行為等の異常の識別情報のみとしてデータ容量を極力少なくすることが好ましい。また、遊技機８から緊急通報に係る情報（Ｋ）を受信したタイミングによっては、島入口ＰＬＣ子機モデム３０ａが次の同期信号に基づくビーコンＢＣ２信号に同期してＰＬＣ中継機１６ａに伝送するようにしてもよい。
【０１５８】
（手順１２）
島入口ＰＬＣ子機モデム３０ａは、島入口ＰＬＣ親機モデム３１ａを介してＰＬＣ子機モデム９ａからイベントフラグ（ＩＦ）を受信すると（Ｋ２）、次の自局（ＰＬＣ中継機モデム１６ａ）への特定中継機帯域のタイムスロットに対するタイミングに同期させて、その受信したイベントフラグ（ＩＦ）に関するデータを、図１４に示したマスタフレームの特定中継機帯域を使用してＰＬＣ親機モデム１３に伝送する（Ｋ３）。この伝送処理において、ＰＬＣ中継機モデム１６ａは、ＰＬＣ親機モデム１３に伝送した情報を、同時にＰＬＣ中継機１６ａ、１６ｂ、・・・の制御配下の島入口ＰＬＣ子機モデム３０ａ、３０ｂ、・・・にも伝送する処理を行う。これにより、イベントフラグ（ＩＦ）をＰＬＣ中継機モデム１６ａに伝送した島入口ＰＬＣ子機モデム３０ａ、３０ｂ、・・・の制御プログラムは、ＰＬＣ中継機モデム１６ａがイベントフラグ（ＩＦ）をＰＬＣ親機モデム１３に伝送したこと、すなわち、ＰＬＣ中継機モデム１６ａのＡＣＫ（Acknowledgement）を受信したと判定することができる。
【０１５９】
(手順１３）
ＰＬＣ親機モデム１３は、ＰＬＣ中継機１６ａから上記した特定中継機帯域に基づいてイベントフラグ（ＩＦ）に関するデータを受信すると（Ｋ４）、受信したイベントフラグ（ＩＦ）に関するデータを直ちに第２のＰＬＣ親機モデム１４に伝送する。第２のＰＬＣ親機モデム１４はこの受信したイベントフラグ（ＩＦ）に関するデータを、第２のＰＬＣ親機モデム１４のＢＣ１信号に同期させてＰＬＣ子機モデム１８に伝送する。そして、ＰＬＣ子機モデム１８はこのイベントフラグ（ＩＦ）に関するデータを、直ちに上位管理システムの店舗サーバ１２又はＰＣ端末１９に送信する処理を行う。
【０１６０】
（手順１４）
上位管理システムの店舗サーバ１２又はＰＣ端末１９は、イベントフラグ（ＩＦ）に関するデータを受信すると、このデータを解析して詳細なユーザデータ（詳細ユーザデータ（ＵＤ））の転送要求を行う必要があるか否かを判定する。ここでのイベントフラグ（ＩＦ）に関するデータには、イベントフラグ（ＩＦ）を転送したＰＬＣ子機モデム９ａのアドレス情報と、大当りに関する情報、あるいは不正行為に係る検出信号が含まれているので、その情報の種別等を判定する処理を行う。そして、詳細ユーザデータ（ＵＤ）の転送要求が必要と判定された場合には、この転送要求のコマンドとＰＬＣ子機モデム９ａのアドレス情報とを、ＰＬＣ子機モデム１８、第２のＰＬＣ親機モデム１４を経由してＰＬＣ親機モデム１３に伝送する処理を行う。
【０１６１】
（手順１５）
ＰＬＣ親機モデム１３は、上記（手順１４）により、詳細ユーザデータ（ＵＤ）の転送要求を受信すると、図１９の（Ｋ５）に示すように、ポーリング制御の順序を変更して、そのイベントフラグ（ＩＦ）を転送したＰＬＣ子機モデム９ａに対するポーリング制御を実施し、上記（手順１）〜（手順６）に基づいて、イベントフラグ（ＩＦ）に係るユーザデータ（詳細ユーザデータ（ＵＤ））の転送要求を行う。
【０１６２】
これにより、店舗サーバ１２又はＰＣ端末１９が緊急通報に関する詳細ユーザデータ（ＵＤ）の要求を行うと、ＰＬＣ親機モデム１３は通常のポーリング制御の順番を変更して、その緊急通報に関するユーザデータ（ＵＤ）を取得することができる。また、緊急通報に関するユーザデータ（ＵＤ）を取得するに際しては、たとえば店舗サーバ１２の指示に基づいて所定の時間毎に、ポーリング対象となるＰＬＣ子機モデム９ａを集中してポーリング制御を行うようにしてもよい。
【０１６３】
また、上述したように、店舗サーバ１２又はＰＣ端末１９は、受信した緊急通報（イベントフラグ（ＩＦ））を解析する処理を行った結果、何らかの不正行為が発生したと判定すると、ホール内監視室（Ｄ）の監視者が監視カメラ等を作動させて異常発生状況を詳細に把握するための対策を行うことができる。この場合、上述したように、いずれかのＰＬＣ子機モデム９に監視カメラ（Ｗｅｂカメラ等）が接続されている場合、上述した手順でその監視カメラ（Ｗｅｂカメラ等）のアドレス情報と、監視カメラ（Ｗｅｂカメラ等）を撮影の向きを変えたり、ズームアップ又はズームアウトさせたりする制御のための情報をデータ伝送の共有帯域を用いて送信する。
【０１６４】
また、この場合、監視カメラ（Ｗｅｂカメラ等）等に接続されるＰＬＣ子機モデム９からのユーザデータは、フロア内を撮影した画像情報とすることができるため、監視カメラ（Ｗｅｂカメラ等）の遠隔操作が可能となる。
【０１６５】
なお、複数の遊技機８において、大当り、あるいは異常が同時に発生すると、上述したＰＬＣ子機モデム９からＰＬＣ中継機１６ａ、１６ｂ、・・・に伝送される緊急通報の伝送において衝突が発生することがあり得る。この伝送の衝突を回避するためには、次のような衝突の回避方法を採用することができる。
【０１６６】
すなわち、上述したデータ伝送のマスタフレームにおいて、緊急通報を行うための緊急通報帯域（イベントフラグ（ＩＦ）伝送帯域）は時間軸で分割した構成、たとえば時間軸を５個に分割した帯域から構成し、これらの帯域を使用して５つの緊急通報に対して同時に送信可能とする。
【０１６７】
また、緊急通報に対する伝送の衝突を回避するために、ＰＬＣ子機モデム９の制御プログラムにより、コンテンション・ウインドウサイズ（ＣＷ：Contention Window）の初期値として設定した値、たとえば「５」に基づいて、「１」〜「５」の５個の整数値の一つを乱数発生手段による抽選で選択する処理を行うようにする。そして、選択された整数値に対応付けして予め設定したイベントフラグ（ＩＦ）の伝送の時間帯域を用いて、イベントフラグ（ＩＦ）のデータをＰＬＣ中継機１６ａ、１６ｂ、・・・に緊急通報として伝送する処理を行う。
【０１６８】
さらに、上述した乱数発生手段を採用した緊急通報を行っても、ＰＬＣ子機モデム９同士で伝送の衝突が発生する可能性がある。このＰＬＣ子機モデム９同士の衝突を回避するために、衝突が発生した場合のイベントフラグ（ＩＦ）の伝送を所定の回数、ＰＬＣ中継機１６ａ、１６ｂ、・・・に再送（再伝送）する処理を行うようにする。
【０１６９】
また、再送を行う場合には、ＣＷサイズを「５」から２倍の「１０」に、さらに衝突が発生した場合には、２倍の「２０」に設定する方法を採用して、伝送の衝突を回避するようにする。このように、ＣＷサイズを２倍に設定すると、図１４に示したマスタフレームの時間軸が１０個に分割した帯域となり、１０個の緊急通報が送信可能になる。このように、ＣＷサイズを再送する毎に倍々に設定すると、再送の時間間隔が長くなるので伝送の衝突を回避することが可能になる。
【０１７０】
なお、上述したＰＬＣ子機モデム９同士で緊急通報の衝突が発生したか否かの判定処理は、ＰＬＣ子機モデム９の制御プログラムにより、ＰＬＣ中継機１６ａ、１６ｂ、・・・がイベントフラグ（ＩＦ）に係る情報をＰＬＣ親機モデム１３に送信すると同時に送信されるＡＣＫの有無を判定することで、可能となる。
【０１７１】
また、ＰＬＣ子機モデム９からの緊急通報について、上述した方法を用いることにより、ＰＬＣネットワークに最大２４００台の遊技機８等を接続しても、大当り、あるいは不正情報（緊急通報）をＰＬＣ子機モデム９から店舗サーバ１２に２〜３秒以内に伝送することが可能となる。
【０１７２】
このように、本実施例では、フロアの入口にＰＬＣ親機モデム１３とＰＬＣ中継機１６とを配置し、遊技機島の入口に島入口ＰＬＣ子機モデム３０ａ、３０ｂ、・・・と狭帯域用の島入口ＰＬＣ親機モデム３１ａ、３１ｂ、・・・とを配置し、遊技機８に狭帯域用｛Ｋ（キロ）帯域用｝のＰＬＣ子機モデム９を配置し、さらに、ＰＬＣ親機モデム１３を第１分岐アダプタ１５の分岐前ポートに接続し、該第１分岐アダプタ１５の分岐後ポートにＰＬＣ中継機１６を接続し、該ＰＬＣ中継機１６を島入口ＰＬＣ子機モデム３０ａ、３０ｂ、・・・に接続し、該島入口ＰＬＣ子機モデム３０ａ、３０ｂ、・・・を島入口ＰＬＣ親機モデム３１ａ、３１ｂ、・・・にＬＡＮケーブルで接続し、該島入口ＰＬＣ親機モデム３１ａ、３１ｂ、・・・の電力線接続ポートを第２分岐アダプタ７の分岐前ポートに接続し、該第２分岐アダプタ７の分岐後ポートに、ＰＬＣ子機モデム９を接続し、ＰＬＣ中継機１６を中継して行われるＰＬＣ親機モデム１３と島入口ＰＬＣ子機モデム３０ａ、３０ｂ、・・・との間のデータ伝送が、少なくとも同期信号を送信する第１の同期信号送信帯域と、ＰＬＣ親機モデム、ＰＬＣ中継機及び島入口ＰＬＣ子機モデムで共有とされる第１のユーザデータの共有帯域とを有する構成とされる第１のマスタフレームに基づいて行われ、島入口ＰＬＣ親機モデム３１ａ、３１ｂ、・・・とＰＬＣ子機モデム９との間のデータ伝送が、少なくとも同期信号を送信する第２の同期信号送信帯域と、島入口ＰＬＣ親機モデム３１ａ、３１ｂ、・・・及びＰＬＣ子機モデム９で共有とされる第２のユーザデータの共有帯域とを有する構成とされる第２のマスタフレームに基づいて行われ、島入口ＰＬＣ親機モデム３１ａ、３１ｂ、・・・が遊技機８からの情報が含まれる第２のユーザデータを受け取り、該第２のユーザデータをＬＡＮでのデータ伝送のフォーマットに従って島入口ＰＬＣ子機モデム３０ａ、３０ｂ、・・・に渡すと、該データがＰＬＣ中継機１６との間での同期に合わせてＰＬＣ親機モデム１３に伝送されるようにした。
【０１７３】
この場合、フロアの入口のＰＬＣ中継機１６と遊技機島の入口の島入口ＰＬＣ子機モデム３０ａ、３０ｂ、・・・との間に分岐アダプタが介在しないため、フロアの入口と遊技機島の入口との間での分岐ロスが低減されるため、フロアの入口と遊技機島の入口との間でのロスが異常に大きな場合に有効となる。
【０１７４】
また、島入口ＰＬＣ親機モデム３１ａ、３１ｂ、・・・及びＰＬＣ子機モデム９を狭帯域用｛Ｋ（キロ）帯域用｝とすることで、それぞれの島入口ＰＬＣ親機モデム３１ａ、３１ｂ、・・・及びＰＬＣ子機モデム９の内部構成部品を狭帯域用とすることができ、広帯域用の内部構成部品に比べて部品コストが安価となり、それぞれの島入口ＰＬＣ親機モデム３１ａ、３１ｂ、・・・及びＰＬＣ子機モデム９を低コストのものとすることができる。この場合、島入口ＰＬＣ親機モデム３１ａ、３１ｂ、・・・とＰＬＣ子機モデム９との間でのデータ伝送の速度が、広帯域用の島入口ＰＬＣ親機モデムとＰＬＣ子機モデムとの間でのデータ伝送の速度に比べて若干低下してもよいシステムに適用する。
【０１７５】
また、ＰＬＣ中継機１６を中継して行われるＰＬＣ親機モデム１３と島入口ＰＬＣ子機モデム３０ａ、３０ｂ、・・・との間のデータ伝送のための第１のマスタフレームを、少なくとも同期信号を送信する第１の同期信号送信帯域と、ＰＬＣ親機モデム１３、ＰＬＣ中継機１６及び島入口ＰＬＣ子機モデム３０ａ、３０ｂ、・・・で共有とされる第１のユーザデータの共有帯域とを有する構成とし、島入口ＰＬＣ親機モデム３１ａ、３１ｂ、・・・とＰＬＣ子機モデム９との間のデータ伝送のための第２のマスタフレームを、少なくとも同期信号を送信する第２の同期信号送信帯域と、島入口ＰＬＣ親機モデム及びＰＬＣ子機モデムで共有とされる第２のユーザデータの共有帯域とを有する構成とし、第１のマスタフレーム及び第２のマスタフレームにおけるそれぞれの多くの帯域に第１のユーザデータ及び第２のユーザデータの共有帯域を割り当てることが可能となる。
【０１７６】
このように、フロアの入口と遊技機島の入口との間での分岐ロスを低減し、さらにＰＬＣ中継機１６を中継して行われるＰＬＣ親機モデム１３と島入口ＰＬＣ子機モデム３０ａ、３０ｂ、・・・との間のデータ伝送のための第１のマスタフレームと、島入口ＰＬＣ親機モデム３１ａ、３１ｂ、・・・とＰＬＣ子機モデム９との間のデータ伝送のための第２のマスタフレームとのそれぞれの多くの帯域に第１のユーザデータ及び第２のユーザデータの共有帯域を割り当てることが可能となることで、ＰＬＣ親機モデム１３と多数（最大２４００台）のＰＬＣ子機モデム９とをＰＬＣ通信を用いたネットワークに接続しても、安定したデータの送受信とデータ伝送の実効速度の向上とを実現することができる。
【０１７７】
また、本実施例では、第１の同期信号送信帯域を、ＰＬＣ親機モデム１３とＰＬＣ中継機１６との間での同期をとるための第１の同期信号とＰＬＣ中継機１６の送信権を設定するための情報とを送信するための第１の送信権タイムスロットと、第１の同期信号に基づき、ＰＬＣ中継機１６と島入口ＰＬＣ子機モデム３０ａ、３０ｂ、・・・との間での同期をとるための第２の同期信号と島入口ＰＬＣ子機モデム３０ａ、３０ｂ、・・・の送信権を設定するための情報とを送信するための第２の送信権タイムスロットとを有するようにし、第３の同期信号送信帯域を、島入口ＰＬＣ親機モデム３１ａ、３１ｂ、・・・とＰＬＣ子機モデム９との間での同期をとるための第３の同期信号とＰＬＣ子機モデム９の送信権を設定するための情報とを送信するための第３の送信権タイムスロットを有するようにしているため、データ伝送の実効速度を向上させることができる。
【０１７８】
この場合、ＰＬＣ中継機１６を中継してのＰＬＣ親機モデム１３と島入口ＰＬＣ子機モデム３０ａ、３０ｂ、・・・との間での同期の確立が第１の同期信号と第２の同期信号とによって行われるとともに、特に、第２の送信権タイムスロットを用いた島入口ＰＬＣ子機モデム３０ａ、３０ｂ、・・・への第２の同期信号のデータ伝送を、直交周波数分割多重方式（ＯＦＤＭ）により行うことが可能となり、多数の島入口ＰＬＣ子機モデム３０ａ、３０ｂ、・・・の同期の確立を短時間で行わせることができる。また、第３の送信権タイムスロットを用いた島入口ＰＬＣ親機モデム３１ａ、３１ｂ、・・・からＰＬＣ子機モデム９への第３の同期信号のデータ伝送を、直交周波数分割多重方式（ＯＦＤＭ）により行うようにすると、多数のＰＬＣ子機モデム９の同期の確立を短時間で行わせることができる。
【０１７９】
また、本実施例では、第１のマスタフレーム及び第２のマスタフレームに、遊技機８からＰＬＣ中継機１６に送信される緊急通報に係る情報をＰＬＣ親機モデム１３に伝送するための緊急通報帯域が設けられているようにすると、いずれかのＰＬＣ子機モデム９が遊技機８からの緊急通報に関する情報を受信したとき、送信権がなくても直ちにその緊急通報に関する情報を、ネットワーク上で上位に位置するＰＬＣ中継機１６を中継してＰＬＣ親機モデム１３に緊急で通報することができる。
【０１８０】
なお、本実施例では、図８で示したように、第１分岐アダプタ１５及び第２分岐アダプタ７を４分岐の構成とした場合として説明したが、この例に限らず、トランス素子（５１−１）〜（５１−５）を一つのブリッジ構成パターンとし、このブリッジ構成パターンを４つのブリッジ構成とするように連結した１６分岐の構成とすることができる。
【０１８１】
すなわち、図８のブリッジ構成をなす４つの高周波トランス素子（５１−２）〜（５１−５）を一つのブリッジ構成パターンとし、図２０に示すように、そのブリッジ構成パターンを、４つのパターンＰ１〜Ｐ４とし、それぞれのパターンＰ１〜Ｐ４をブリッジ構成をなすように配置し、さらに１個の高周波トランス素子（５１−１）を１６分岐のアダプタの入力側として配置した構成とする。
【０１８２】
そして、この１６分岐の分岐アダプタは、４つのブリッジ構成パターンＰ１、Ｐ２、Ｐ３、Ｐ４を構成する１６個の各高周波トランス素子（５１−２）〜（５１−１７）の一次側を分岐後ポートとして、外部機器と接続するための１６個の分岐端子とする。
【０１８３】
この場合の接続方法は、次の通りとなる。
１）パターンＰ１を構成するトランス素子（５１−２）と（５１−４）の二次側の一方同士を導線で接続する。同様に、パターンＰ２を構成するトランス素子（５１−１０）と（５１−１２）の二次側の一方同士を接続するとともに、これら接続した導線の連結点（５２ａ−１）と（５２ａ−２）とを導線５６ａにより接続する。
【０１８４】
２）パターンＰ３とＰ４についても、上記１）と同様に、連結点５２ｂ−３と５２ｂ−４とを設けて、これら連結点（５２ｂ−３）と（５２ｂ−４）とを介して接続する。
【０１８５】
３）パターンＰ１を構成するトランス素子（５１−３）と（５１−５）の二次側の一方同士を導線で接続する。同様に、パターンＰ３を構成するトランス素子（５１−６）と（５１−８）の二次側の一方同士を接続するとともに、これら接続した導線の連結点（５２ｂ−１）と（５２ａ−３）を導線５６ｃにより接続する。
【０１８６】
４）パターンＰ２を構成するトランス素子（５１−１１）と（５１−１３）の二次側の一方同士を導線で接続する。同様に、パターンＰ４を構成するトランス素子（５１−１４）と（５１−１４）の二次側の一方同士を接続するとともに、これら接続した導線の連結点（５２ｂ−２）と（５２ａ−４）とを導線５６ｄにより接続する。
【０１８７】
５）導線５６ｃと５６ｄとを５０Ωの抵抗５４を介して接続する。
６）分岐アダプタの入力側として配置したトランス素子（５１−１）の二次側の一方を導線５６ａに、同じく二次側の他方を導線５６ｂに接続する。
７）４つのパターンＰ１〜Ｐ４を構成する各高周波トランス（５１−２）〜（５１−１７）の一次側にはコンデンサ５５を接続する。そして、他の回路構成は図７に示す構成と同じにする。
【０１８８】
上記した回路構成からなる１６分岐の分岐アダプタにおいて、４つのパターンＰ１〜Ｐ４を構成する高周波トランス（５１−２）〜（５１−１７）の１６個の一次側（分岐後ポート）に、外部機器、たとえば、図１に示す例ではＰＬＣ子機モデム９、あるいはＰＬＣ中継機１６ａ、１６ｂ、・・・が接続される。また、分岐アダプタの分岐前ポートとなるトランス素子（５１−１）の一次側には、島分電盤５あるいはＰＬＣ親機モデム１３が接続される。
【産業上の利用可能性】
【０１８９】
本発明のＰＬＣ通信を用いたネットワークシステムは、遊技ホールの他に、多数の生産設備やパーソナルコンピュータが配置されている製造現場の生産ライン、多数の測定機器やパーソナルコンピュータが配置されている病院、学校、あるいは研究所のネットワークシステムとして適用することができる。
【図面の簡単な説明】
【０１９０】
【図１】本発明のＰＬＣ通信を用いた遊技ホール用ネットワークシステムの一実施例に係る、システム構成例を示す図である。
【図２】図１の遊技ホールの受電設備から各フロア用のフロア入口分電盤までの電力線の経路と、このフロア入口分電盤から遊技機までの電力線を含む伝送路の経路例を示す図である。
【図３】遊技ホールを３階建ての建屋としたときのシステム構成例を示す図である。
【図４】図１のＰＬＣ親機モデムの基本的な回路構成例を示すブロック図である。
【図５】図１の遊技機に接続されるＰＬＣ子機モデムの基本的な回路構成例を示すブロック図である。
【図６】図１のホール内監視室側に配置されるＰＬＣ子機モデムの基本的な回路構成例を示すブロック図である。
【図７】図１のＰＬＣ中継機の基本的な回路構成例を示すブロック図である。
【図８】図１の第１分岐アダプタ及び第２分岐アダプタを説明するための図である。
【図９】図１の第１分岐アダプタ及び第２分岐アダプタを説明するための図である。
【図１０】図１のフロア入口分電盤を説明するための図である。
【図１１】図１のフロア入口分電盤を説明するための図である。
【図１２】図１の島分電盤を説明するための図である。
【図１３】図１の島分電盤を説明するための図である。
【図１４】図１のネットワークシステムで送受信される第１のマスタフレームの構成の一例を示す図である。
【図１５】図１のＰＬＣ親機モデムによってのポーリング制御が行われる際に参照されるポーリングテーブルを示す図である。
【図１６】図１のネットワークシステムで送受信される第２のマスタフレームの構成の一例を示す図である。
【図１７】図１の島入口ＰＬＣ親機モデムによってのポーリング制御が行われる際に参照されるポーリングテーブルを示す図である。
【図１８】図１のＰＬＣ親機モデムから島入口ＰＬＣ子機モデムへのポーリング制御を説明するためのタイムチャートである。
【図１９】図１のＰＬＣ子機モデムからの緊急通報が伝送される場合を説明するためのタイムチャートである。
【図２０】図１の第１分岐アダプタ及び第２分岐アダプタの他の例を説明するための図である。
【符号の説明】
【０１９１】
３ａ、３ｂ、３ｃ、・・・  フロア入口分電盤
４、４ａ〜４ｇ  電力線
５  島分電盤
６  変換トランス
７  第２分岐アダプタ
８  遊技機
９、９ａ、９ｂ、１８  ＰＬＣ子機モデム
１０ａ〜１０ｄ  通信線
１２  店舗サーバ
１３、１４  ＰＬＣ親機モデム
１５  第１分岐アダプタ
１９  ＰＣ端末
２１  センタサーバ
１６、１６ａ、１６ｂ、・・・  ＰＬＣ中継機
３０ａ、３０ｂ、・・・  島入口ＰＬＣ子機モデム
３１ａ、３１ｂ、・・・  島入口ＰＬＣ親機モデム
【図１】
2010028558.tif 000003
【図２】
2010028558.tif 000004
【図３】
2010028558.tif 000005
【図４】
2010028558.tif 000006
【図５】
2010028558.tif 000007
【図６】
2010028558.tif 000008
【図７】
2010028558.tif 000009
【図８】
2010028558.tif 000010
【図９】
2010028558.tif 000011
【図１０】
2010028558.tif 000012
【図１１】
2010028558.tif 000013
【図１２】
2010028558.tif 000014
【図１３】
2010028558.tif 000015
【図１４】
2010028558.tif 000016
【図１５】
2010028558.tif 000017
【図１６】
2010028558.tif 000018
【図１７】
2010028558.tif 000019
【図１８】
2010028558.tif 000020
【図１９】
2010028558.tif 000021
【図２０】
2010028558.tif 000022